(57)【要約】      （修正有）【課題】好適に調整された色相を有し、保存中に色素が分解しないインク組成物を提供する。【解決手段】下記一般式（１）で表される化合物（ａ）、成分（ｃ）、及び保湿剤を含むインク組成物であって、該一般式（１）で表される化合物の含有率が０．１質量％以上７．０質量％未満であり、かつ、水酸基を３個以上有する保湿剤（ｂ）の含有率が１０．０質量％以下であり、前記水酸基を３個以上有する保湿剤／前記一般式（１）で表される化合物のモル比が３０．０未満であることを特徴とするインク組成物。2010024444.tif 000031成分（Ｃ）はＣ．Ｉ．ダイレクトイエロー５９、８６、１３２等から選ばれる少なくとも一つである。【選択図】なし【特許請求の範囲】
【請求項１】
下記一般式（１）で表される化合物、成分（Ｃ）、及び保湿剤を含むインク組成物であって、該一般式（１）で表される化合物の含有率が０．１質量％以上７．０質量％未満であり、かつ、水酸基を３個以上有する保湿剤の含有率が１０．０質量％以下であり、前記水酸基を３個以上有する保湿剤／前記一般式（１）で表される化合物のモル比が３０．０未満であることを特徴とするインク組成物。
【化１】
2010024444.tif 000025
上記一般式（１）中：Ａｒ１およびＡｒ２はそれぞれ独立に、芳香族炭化水素環基、非芳香族炭化水素環基、芳香族複素環基または非芳香族複素環基を表し、Ａ１およびＡ２はそれぞれ独立に、水素原子または置換基を表し、この置換基は更に置換基を有していても良い。Ｙは−ＯＭまたは−ＮＲ１Ｒ２を表し、Ｍは水素原子または金属イオンを表し、Ｒ１およびＲ２はそれぞれ独立に、水素原子、アルキル基、アルケニル基、アルキニル基、アラルキル基、アリール基または複素環基を表す。成分（Ｃ）はＣ．Ｉ．ダイレクトイエロー５９、同８６、同１３２、同１７３、Ｃ．Ｉ．アシッドイエロー２３および下記一般式（２）〜（６）で表される化合物から選ばれる少なくとも一つである。但し、一般式（２）〜（５）中のＭは水素原子または金属イオンを表す。一般式（２）のＲは水素原子またはメチル基を表す。一般式（６）のＭ’−はハロゲンイオン、無機アニオン、または有機アニオンを表す。
【化２】
2010024444.tif 000026
【請求項２】
前記水酸基を３個以上有する保湿剤の含有率が８．５質量％以下であることを特徴とする請求項１に記載のインク組成物。
【請求項３】
前記モル比が２５．０未満であることを特徴とする請求項１または２に記載のインク組成物。
【請求項４】
前記モル比が１５．０未満であることを特徴とする請求項３に記載のインク組成物。
【請求項５】
前記モル比が１０．０未満であることを特徴とする請求項３または４に記載のインク組成物。
【請求項６】
水酸基数が０〜２個である保湿剤をさらに含有することを特徴とする請求項１〜５のいずれかに記載のインク組成物。
【請求項７】
前記水酸基を３個以上有する保湿剤の含有率が全保湿剤の２５．０質量％未満であることを特徴とする請求項１〜６のいずれかに記載のインク組成物。
【請求項８】
前記水酸基を３個以上有する保湿剤の含有率が全保湿剤の２０．０質量％未満であることを特徴とする請求項１〜７のいずれかに記載のインク組成物。
【請求項９】
前記水酸基を３個以上有する保湿剤の含有率が全保湿剤の１５．０質量％未満であることを特徴とする請求項１〜８のいずれかに記載のインク組成物。
【請求項１０】
成分（Ｃ）が、一般式（２）〜（６）で表される化合物から選ばれる少なくとも一つであることを特徴とする請求項１〜９のいずれかに記載のインク組成物。
【請求項１１】
前記一般式（１）で表される化合物が一般式（８）で表される化合物であることを特徴とする請求項１〜１０のいずれかに記載のインク組成物。
【化３】
2010024444.tif 000027
上記一般式（８）中、Ａ１、Ａ２及びＹは一般式（１）におけるＡ１、Ａ２及びＹと同義である。Ｙ１、およびＹ２はそれぞれ独立に、水素原子または置換基を表し、Ｘ１およびＸ２はそれぞれ独立に、ハメットのσｐ値０．２０以上の電子求引性基を表す。Ｚ１、Ｚ２はそれぞれ独立に、水素原子、アルキル基、アルケニル基、アルキニル基、アラルキル基、アリール基、または複素環基を表す。    
【請求項１２】
前記一般式（８）で表される化合物が一般式（９）で表される化合物であることを特徴とする請求項１１に記載のインク組成物。
【化４】
2010024444.tif 000028
上記一般式（９）中、Ａ１、Ａ２、Ｘ１、Ｘ２、Ｙ１及びＹ２は一般式（８）におけるＡ１、Ａ２、Ｘ１、Ｘ２、Ｙ１及びＹ２と同義である。Ｗ１１、Ｗ１２、Ｗ１３、Ｗ１４、Ｗ１５、Ｗ２１、Ｗ２２、Ｗ２３、Ｗ２４及びＷ２５はそれぞれ独立に、水素原子または置換基を表し、Ｍは水素原子または金属イオンを表す。
【請求項１３】
前記一般式（１）で表される化合物が一般式（１０）で表される化合物であることを特徴とする請求項１〜１０のいずれかに記載のインク組成物。
【化５】
2010024444.tif 000029
上記一般式（１０）中、Ａ１、Ａ２及びＹは一般式（１）におけるＡ１、Ａ２及びＹと同義である。Ｄ１およびＤ２はそれぞれ独立に、水素原子または置換基を表す。
【請求項１４】
前記一般式（１０）で表される化合物が一般式（１１）で表される化合物であることを特徴とする請求項１３に記載のインク組成物。
【化６】
2010024444.tif 000030
上記一般式（１１）中、Ａ１、Ａ２、Ｄ１及びＤ２は一般式（１０）におけるＡ１、Ａ２、Ｄ１及びＤ２と同義である。Ｍは水素原子または金属イオンを表す。
【請求項１５】
更に尿素誘導体を含むことを特徴とする請求項１〜１４のいずれかに記載のインク組成物。
【請求項１６】
請求項１〜１５のいずれかに記載のインク組成物を使用するインクジェット記録用インク組成物。
【請求項１７】
インクジェット記録方法に用いるインクセットであって、請求項１〜１６のいずれかに記載のインク組成物を構成成分として含んでなることを特徴とするインクセット。
【請求項１８】
請求項１〜１６のいずれかに記載のインク組成物を含んでなることを特徴とするインクカートリッジ。
【請求項１９】
請求項１７に記載のインクセットを一体的に又は独立に収容してなることを特徴とするインクカートリッジ。
【請求項２０】
インク組成物の液滴を吐出し、該液滴を記録媒体に付着させて記録を行うインクジェット記録方法であって、請求項１７に記載のインクセット又は請求項１８または１９のいずれかに記載のインクカートリッジを用いて記録することを特徴とするインクジェット記録方法。
【請求項２１】
請求項２０に記載のインクジェット記録方法によって印刷されたことを特徴とする記録物。
【発明の詳細な説明】
【技術分野】
【０００１】
本発明は、インク組成物に含まれる一般式（１）で表される化合物が保存時に分解せず、長期に渡って安定であり、かつインク組成物による印字画像が耐光性および耐オゾン性に優れるインク組成物、これを用いたインクジェット記録用インク組成物、インクセット、インクカートリッジ、インクジェット記録方法及び記録物に関するものである。
【背景技術】
【０００２】
近年、画像記録材料としては、特にカラー画像を形成するための材料が主流であり、具体的には、インクジェット方式の記録材料、感熱転写方式の記録材料、電子写真方式の記録材料、転写式ハロゲン化銀感光材料、印刷インク、記録ペン等が盛んに利用されている。
【０００３】
インク組成物に用いられる色素に対しては、溶剤に対する溶解性あるいは分散性が良好なこと、高濃度記録が可能であること、色相が良好であること、印字画像の保存安定性が良好なこと水や薬品に対する堅牢性に優れていること、毒性がないこと、純度が高いこと、更には、安価に入手できることが要求されている。
【０００４】
近年、技術の進歩によって光、熱、環境中の活性ガス（ＮＯｘ、オゾン等の酸化性ガスの他ＳＯｘなど）に対する単色画像の堅牢性は、色素分子の高電位化によって改良できるようになってきた（特許文献１）。一方、インク組成物への要求性能として、例えばインク組成物からの色素析出やインク組成物の凍結（特許文献２）、インク組成物を基質上に印字した際のカール防止（特許文献３）、インク組成物の腐敗防止ばかりでなく（特許文献４）、印字の際の色素の滲みの防止（特許文献５）などが挙げられ、インク組成物に様々な添加剤を用いることで課題を解決してきた。
【０００５】
特許文献６に記載のように、添加剤により色素の性能やインク組成物の保存安定性を改良する試みがなされているが、色素の溶解安定化は改良された。
一方、色材多種を併用する技術に関しては、特許文献７、８、及び９に記載されるが、インク組成物の長期保存安定性までを満足していない。
【先行技術文献】
【特許文献】
【０００６】
【特許文献１】特開２００７−６３５２０号公報
【特許文献２】特開２００１−２７１０１３号公報
【特許文献３】特開平６−２４０１８９号公報
【特許文献４】特開平６−２３４９４３号公報
【特許文献５】特開平６−１３６３０９号公報
【特許文献６】特開２００７−７０５６６号公報
【特許文献７】特開２００７−１９１６４４号公報
【特許文献８】特開２００７−３０２８１０号公報
【特許文献９】特開２００８−３１２６１号公報
【発明の概要】
【発明が解決しようとする課題】
【０００７】
本発明が解決しようとする課題は、イエローインク組成物を使用する際に、好適に調整された色相を有し、該インク組成物の保存中に色相が変化することなく、例えば夏季の車中で起こり得るような高温環境下で保存してもインク組成物中の色素が分解したり析出することのない上、イエロー画像の光堅牢性やオゾンガス堅牢性に優れたインク組成物を提供することである。更にはインクジェットプリンタで画像を形成する際に、プリンターヘッドによる該インク組成物の吐出性が良好なインク組成物を提供することである。
【課題を解決するための手段】
【０００８】
前述の高堅牢化された高電位の色素は、光、熱、環境中の活性ガス（ＮＯｘ、オゾン等の酸化性ガスの他ＳＯｘなど）に対する単色画像の堅牢性に優れる一方で、電子豊富な求核種の攻撃を受けやすく、インク組成物に含まれる添加剤によって分解が促進し、褪色や変色の原因となることが新たな課題となってきた。本発明者らの知見から推測すると、インク組成物の長期保存安定性を保持する方法として、色素分子の電位を下げること、色素の分子間相互作用により会合性を上げること、溶液安定性の高い化合物を混合すること、が挙げられる。しかしながら、色素の電位を下げる方法は、色素の光やオゾンガスに対する堅牢性が悪化するため商品としての価値が損なわれる。また、色素の会合性を高めるためには色素の分子設計から実施することになり時間と労力を必要とする。  
【０００９】
そこで、本発明者は、光、熱、環境中の活性ガスに対する耐性に優れた高電位色素を含有するインク組成物において、前記高電位色素の分解について分析したところ、インク組成物の長期保存において水酸基を有する化合物（特に保湿剤）が特に前記高電位色素の分解に関連していることが分かった。中でも水酸基を３個以上有する化合物がインク組成物中に特定量以上存在すると前記高電位色素の分解が顕著であり、また、インク組成物中の前記高電位色素濃度が小さい場合にも前記高電位色素の分解が著しいことが判明した。これは、該水酸基を３個以上有する化合物が高電位色素と特異的に多点相互作用することによる現象と推測された。これは相互作用に基づく電子効果によって色素自身が活性化され加水分解が誘発したと推測される。しかしながら、本発明はこのような推測によって限定されない。そこで本発明者らは色素の分解を抑える方法を鋭意検討した結果、水酸基を３個以上有する化合物、すなわち、水酸基を３個以上有する保湿剤の使用量を抑えるとともに、色素と保湿剤の多点相互作用を断ち切ることが必要であると考えた。後者の場合には、色素を積極的に会合させ、この色素会合体と保湿剤とを立体反発により近接させないことが重要となると考えられる。そこで、保湿剤の種類とその使用量および適切な会合促進効果があってかつ混合によってインク組成物としての性能を害さない色材の探索を鋭意検討した。その結果、前記高電位色素に特定構造の色材を混合したり、水酸基を有する化合物、特に保湿剤の種類や添加量を調整することで、要求課題が解決できることを見出した。これにより、インク組成物の保存安定性を改良し、長期保存したインク組成物を使用しても、吐出性においてプリンターヘッドに負荷を与えず画像の印字が可能で、かつ該インク組成物による印字画像物の色再現域や、光堅牢性およびオゾンガス堅牢性に優れることを見出し本発明を完成するに至った。
本発明の課題は、以下の手段により解決することができる。
＜１＞
下記一般式（１）で表される化合物、成分（Ｃ）、及び保湿剤を含むインク組成物であって、該一般式（１）で表される化合物の含有率が０．１質量％以上７．０質量％未満であり、かつ水酸基を３個以上有する保湿剤の含有率が１０．０質量％以下であり、前記水酸基を３個以上有する保湿剤／前記一般式（１）で表される化合物のモル比が３０．０未満であることを特徴とするインク組成物。
【００１０】
【化１】
2010024444.tif 000002
【００１１】
上記一般式（１）中：Ａｒ１およびＡｒ２はそれぞれ独立に、芳香族炭化水素環基、非芳香族炭化水素環基、芳香族複素環基または非芳香族複素環基を表し、Ａ１およびＡ２はそれぞれ独立に、水素原子または置換基を表し、この置換基は更に置換基を有していても良い。Ｙは−ＯＭまたは−ＮＲ１Ｒ２を表し、Ｍは水素原子または金属イオンを表し、Ｒ１およびＲ２はそれぞれ独立に、水素原子、アルキル基、アルケニル基、アルキニル基、アラルキル基、アリール基または複素環基を表す。成分（Ｃ）はＣ．Ｉ．ダイレクトイエロー５９、同８６、同１３２、同１７３、Ｃ．Ｉ．アシッドイエロー２３および下記一般式（２）〜（６）で表される化合物から選ばれる少なくとも一つである。但し、一般式（２）〜（５）中のＭは水素原子または金属イオンを表す。一般式（２）のＲは水素原子またはメチル基を表す。一般式（６）のＭ’−はハロゲンイオン、無機アニオン、または有機アニオンを表す。
【００１２】
【化２】
2010024444.tif 000003
【００１３】
＜２＞
前記水酸基を３個以上有する保湿剤の含有率が８．５質量％以下であることを特徴とする＜１＞に記載のインク組成物。
＜３＞
前記モル比が２５．０未満であることを特徴とする＜１＞または＜２＞に記載のインク組成物。
＜４＞
前記モル比が１５．０未満であることを特徴とする＜３＞に記載のインク組成物。
＜５＞
前記モル比が１０．０未満であることを特徴とする＜３＞または＜４＞に記載のインク組成物。
＜６＞
水酸基が０〜２個である保湿剤をさらに含有することを特徴とする＜１＞〜＜５＞のいずれかに記載のインク組成物。
＜７＞
前記水酸基を３個以上有する保湿剤の含有率が全保湿剤の２５．０質量％未満であることを特徴とする＜１＞〜＜６＞のいずれかに記載のインク組成物。
＜８＞
前記水酸基を３個以上有する保湿剤の含有率が全保湿剤の２０．０質量％未満であることを特徴とする＜１＞〜＜７＞のいずれかに記載のインク組成物。
＜９＞
前記水酸基を３個以上有する保湿剤の含有率が全保湿剤の１５．０質量％未満であることを特徴とする＜１＞〜＜８＞のいずれかに記載のインク組成物。
＜１０＞
成分（ｃ）が、一般式（２）〜（６）で表される化合物から選ばれる少なくとも一つであることを特徴とする＜１＞〜＜９＞のいずれかに記載のインク組成物。
＜１１＞
前記一般式（１）で表される化合物が一般式（８）で表される化合物であることを特徴とする＜１＞〜＜１０＞のいずれかに記載のインク組成物。
【００１４】
【化３】
2010024444.tif 000004
【００１５】
上記一般式（８）中、Ａ１、Ａ２及びＹは一般式（１）におけるＡ１、Ａ２及びＹと同義である。Ｙ１、およびＹ２はそれぞれ独立に、水素原子または置換基を表し、Ｘ１およびＸ２はそれぞれ独立に、ハメットのσｐ値０．２０以上の電子求引性基を表す。Ｚ１、Ｚ２はそれぞれ独立に、水素原子、アルキル基、アルケニル基、アルキニル基、アラルキル基、アリール基、または複素環基を表す。    
＜１２＞
前記一般式（８）で表される化合物が一般式（９）で表される化合物であることを特徴とする＜１１＞に記載のインク組成物。
【００１６】
【化４】
2010024444.tif 000005
【００１７】
上記一般式（９）中、Ａ１、Ａ２、Ｘ１、Ｘ２、Ｙ１及びＹ２は一般式（８）におけるＡ１、Ａ２、Ｘ１、Ｘ２、Ｙ１及びＹ２と同義である。Ｗ１１、Ｗ１２、Ｗ１３、Ｗ１４、Ｗ１５、Ｗ２１、Ｗ２２、Ｗ２３、Ｗ２４及びＷ２５はそれぞれ独立に、水素原子または置換基を表し、Ｍは水素原子または金属イオンを表す。
＜１３＞
前記一般式（１）で表される化合物が一般式（１０）で表される化合物であることを特徴とする＜１＞〜＜１０＞のいずれかに記載のインク組成物。
【００１８】
【化５】
2010024444.tif 000006
【００１９】
上記一般式（１０）中、Ａ１、Ａ２及びＹは一般式（１）におけるＡ１、Ａ２及びＹと同義である。Ｄ１およびＤ２はそれぞれ独立に、水素原子または置換基を表す。
＜１４＞
前記一般式（１０）で表される化合物が一般式（１１）で表される化合物であることを特徴とする＜１３＞に記載のインク組成物。
【００２０】
【化６】
2010024444.tif 000007
【００２１】
上記一般式（１１）中、Ａ１、Ａ２、Ｄ１及びＤ２は一般式（１０）におけるＡ１、Ａ２、Ｄ１及びＤ２と同義である。Ｍは水素原子または金属イオンを表す。
＜１５＞
更に尿素誘導体を含むことを特徴とする＜１＞〜＜１４＞のいずれかに記載のインク組成物。
＜１６＞
＜１＞〜＜１５＞のいずれかに記載のインク組成物を使用するインクジェット記録用インク組成物。
＜１７＞
インクジェット記録方法に用いるインクセットであって、＜１＞〜＜１６＞のいずれかに記載のインク組成物を構成成分として含んでなることを特徴とするインクセット。
＜１８＞
＜１＞〜＜１５＞のいずれかに記載のインク組成物を使用するインクジェット記録用インク組成物。
＜１９＞
＜１７＞に記載のインクセットを一体的に又は独立に収容してなることを特徴とするインクカートリッジ。
＜２０＞
インク組成物の液滴を吐出し、該液滴を記録媒体に付着させて記録を行うインクジェット記録方法であって、＜１７＞に記載のインクセット又は＜１８＞または＜１９＞のいずれかに記載のインクカートリッジを用いて記録することを特徴とするインクジェット記録方法。
＜２１＞
＜２０＞に記載のインクジェット記録方法によって印刷されたことを特徴とする記録物。
【発明の効果】
【００２２】
本発明によれば、イエロー色相が優れ、高温環境下で保存された場合でも色素の分解が改良されたインク組成物を提供することができる。特に、光堅牢性やオゾンガス堅牢性に優れた印字画像を与えるインクジェット記録用インク組成物を提供することができる。
【発明を実施するための形態】
【００２３】
以下、本発明について詳細に説明する。
本発明のインク組成物は、下記一般式（１）で表される化合物、成分（Ｃ）、及び保湿剤を含むインク組成物であって、該一般式（１）で表される化合物の含有率が０．１質量％以上７．０質量％未満であり、かつ水酸基を３個以上有する保湿剤の含有率が１０．０質量％以下であり、前記水酸基を３個以上有する保湿剤／前記一般式（１）で表される化合物のモル比が３０．０未満である。
〔一般式（１）で表される化合物〕
【００２４】
まず、本明細書中で用いられるハメットの置換基定数σｐ値について若干説明する。
ハメット則はベンゼン誘導体の反応または平衡に及ぼす置換基の影響を定量的に論ずるために１９３５年 Ｌ．Ｐ．Ｈａｍｍｅｔｔにより提唱された経験則であるが、これは今日広く妥当性が認められている。ハメット則に求められた置換基定数にはσｐ値とσｍ値があり、これらの値は多くの一般的な成書に見出すことができるが、例えば、Ｊ．Ａ．Ｄｅａｎ編、「Ｌａｎｇｅ’ｓ Ｈａｎｄｂｏｏｋ ｏｆ Ｃｈｅｍｉｓｔｒｙ」第１２版、１９７９年（Ｍｃ Ｇｒａｗ−Ｈｉｌｌ）や「化学の領域」増刊、１２２号、９６〜１０３頁、１９７９年（南江堂）に詳しい。なお、本発明において各置換基をハメットの置換基定数σｐにより限定したり、説明したりするが、これは上記の成書で見出せる、文献既知の値がある置換基にのみ限定されるという意味ではなく、その値が文献未知であってもハメット則に基づいて測定した場合にその範囲内に包まれるであろう置換基をも含むことはいうまでもない。本発明の一般式（１）、（８）〜（１１）で表される化合物はベンゼン誘導体ではないが、置換基の電子効果を示す尺度として、置換位置に関係なくσｐ値を使用する。本発明においては今後、σｐ値をこのような意味で使用する。
【００２５】
本発明における一般式（１）で表される化合物を説明する。
【００２６】
【化７】
2010024444.tif 000008
【００２７】
Ａｒ１およびＡｒ２はそれぞれ独立に、芳香族炭化水素環基、非芳香族炭化水素環基、芳香族複素環基または非芳香族複素環基を表す。
【００２８】
Ａ１およびＡ２はそれぞれ独立に、水素原子または置換基を表し、この置換基は更に置換基を有していても良い。
【００２９】
Ｙは−ＯＭまたは−ＮＲ１Ｒ２を表し、Ｍは水素原子または金属イオンを表し、Ｒ１およびＲ２はそれぞれ独立に、水素原子もしくはアルキル基、アルケニル基、アルキニル基、アラルキル基、アリール基または複素環基を表す。
【００３０】
以下に、前記一般式（１）について更に詳しく説明する。
【００３１】
Ａｒ１およびＡｒ２は芳香族炭化水素環基、非芳香族炭化水素環基、芳香族複素環基または非芳香族複素環基を表し、単環であっても、さらに他の環が縮環していても良い。前記各環は置換基を有しても良く、該置換基としては後述の置換基（ＳＵＢ）が挙げられる。芳香族炭化水素環基としては、後述の置換基（ＳＵＢ）に記載のアリール基が挙げられる。非芳香族炭化水素環基としては、後述の置換基（ＳＵＢ）に記載のシクロアルキル基、ビシクロアルキル基等が挙げられる。非芳香族複素環基としては、ピペリジル基、ピペリジノ基、モルホリニル基、モルホリノ基等が挙げられる。
Ａｒ１およびＡｒ２は芳香族複素環基が好ましく、より好ましくは含窒素５〜７員環の芳香族複素環基であり、５〜６員環の芳香族複素環が好ましい。以下にＡｒ１およびＡｒ２の好ましい例、より好ましい例、更に好ましい例を示すが、Ａｒ１およびＡｒ２のアゾ基と結合する置換位置および、Ａｒ１およびＡｒ２の有しても良い置換基とその置換位置は限定されない。Ａｒ１およびＡｒ２の好ましい例としては、フェニル基、イミダゾリル基、ベンゾイミダゾリル基、ピラゾリル基、ベンゾピラゾリル基、トリアゾリル基、チアゾリル基、ベンゾチアゾリル基、イソチアゾリル基、ベンゾイソチアゾリル基、オキサゾリル基、ベンゾオキサゾリル基、チアジアゾリル基、ピロリル基、ベンゾピロリル基、インドリル基、イソオキサゾリル基、ベンゾイソオキサゾリル基、チオフェニル基、ベンゾチオフェニル基、フラニル基、ベンゾフラニル基、ピリジニル基、キノリニル基、イソキノリニル基、ピリダジニル基、ピリミジニル基、ピラジニル基、シンノリニル基、フタラジニル基、キナゾリニル基、キノクサリニル基、またはトリアジニル基が挙げられる。
【００３２】
Ａｒ１およびＡｒ２としてより好ましくはピリジニル基、ピリミジニル基、ピリダジニル基、ピロリル基、イミダゾリル基、ピラゾリル基、トリアゾリル基、オキサゾリル基、イソオキサゾリル基、チアゾリル基、イソチアゾリル基、またはチアジアゾリル基であり、更に好ましい例は、ピラゾリル基、チアゾリル基、イソチアゾリル基、またはチアジアゾリル基である。特に好ましくはピラゾリル基またはチアジアゾリル基である。
【００３３】
これらの基は更に置換基を有していても良い。
【００３４】
Ａｒ１およびＡｒ２に置換する基としては、ハロゲン原子、アルキル基、アルケニル基、アルキニル基、アラルキル基、アリール基、複素環基、シアノ基、ヒドロキシ基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルもしくはアリールスルホニルアミノ基、メルカプト基、アルキルチオ基、アリールチオ基、複素環チオ基、スルファモイル基、スルホ基、アルキルもしくはアリールスルフィニル基、アルキルもしくはアリールスルホニル基、アシル基、アリールオキシカルボニル基、アルコキシカルボニル基、カルバモイル基、アリールもしくは複素環アゾ基、イミド基、ホスフィノ基、ホスフィニル基、ホスフィニルオキシ基、ホスフィニルアミノ基、シリル基、およびイオン性親水性基が挙げられる。より好ましくは、ハロゲン原始、アルキル基、アリール基、複素環基、シアノ基、アミノ基、アシルアミノ基およびアルキルもしくはアリールスルホニル基であり、更に好ましくはアルキル基、アリール基、シアノ基、−ＳＯ２ＣＨ３および−ＳＯ２Ｐｈである。
【００３５】
Ａｒ１およびＡｒ２として好ましくはピラゾリル基であり、その置換基がアルキル基、アリール基、シアノ基、−ＳＯ２ＣＨ３または−ＳＯ２Ｐｈであり、最も好ましくはピラゾリル基の置換基がアリール基、またはシアノ基である。また、Ａｒ１およびＡｒ２として好ましくはチアジアゾリル基でもあり、その置換基がアルキル基、フェニル基、アルコキシ基、チオアルコキシ基、フェノキシ基、アルキルチオ基、アリールチオ基、アルキルアミノ基、及びアリールアミノ基から選ばれる基であり、アルキル基、フェニル基、アルキルチオ基、アリールチオ基、アルキルアミノ基、またはアリールアミノ基が好ましく、更に好ましくはアルキル基、またはアリール基である。
【００３６】
ここで前記Ａｒ１およびＡｒ２に置換しうる置換基（ＳＵＢ）の詳細を説明する。
【００３７】
ハロゲン原子としては、例えば、フッ素原子、塩素原子、臭素原子、ヨウ素原子が挙げられる。
【００３８】
アルキル基としては、直鎖、分岐、環状の置換もしくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。詳細には、アルキル基としては、好ましくは、置換基を除いた状態で炭素数１から３０のアルキル基であり、炭素数１から２０のアルキル基がより好ましく、炭素数１から１５の置換もしくは無置換のアルキル基が好ましい。例えば、メチル基、エチル基、ｎ−プロピル基、イソプロピル基、ｔ−ブチル基、ｎ−オクチル基、エイコシル基、２−クロロエチル基、２−シアノエチル基、２―エチルヘキシル基等が挙げられる。シクロアルキル基としては、好ましくは、置換基を除いた状態で炭素数３から３０の置換または無置換のシクロアルキル基であり、より好ましくは炭素数３から２０のシクロアルキル基であり、炭素数３から１５のシクロアルキル基が更に好ましい。シクロアルキル基の好ましい例として、シクロヘキシル基、シクロペンチル基、４−ｎ−ドデシルシクロヘキシル基等が挙げられ、ビシクロアルキル基としては、好ましくは、置換基を除いた状態で炭素数５から３０の置換もしくは無置換のビシクロアルキル基が好ましく、炭素数５から２０のビシクロアルキル基がより好ましく、炭素数５から１５のビシクロアルキル基が更に好ましい。つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。置換基の例には、ヒドロキシ基、アルコキシ基、シアノ基、ハロゲン原子およびイオン性親水性基が含まれる。
但し、ここではアリール基が置換してアルキル基（アラルキル基）は含まないものとする。
【００３９】
アルケニル基としては、直鎖、分岐、環状の置換もしくは無置換のアルケニル基が挙げられ、シクロアルケニル基、ビシクロアルケニル基を包含する。詳細には、アルケニル基としては、好ましくは、アルケニル基の置換基を除いた状態で炭素数２から３０、より好ましくは炭素数２から２０、更に好ましくは炭素数２から１５の置換または無置換のアルケニル基、例えば、ビニル基、アリル基、プレニル基、ゲラニル基、オレイル基等が挙げられ、シクロアルケニル基としては、好ましくは、シクロアルケニル基の置換基を除いた状態で炭素数３から３０、より好ましくは炭素数３から２０、更に好ましくは炭素数３から１５の置換もしくは無置換のシクロアルケニル基である。つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、好ましくは、ビシクロアルケニル基の置換基を除いた状態で炭素数５から３０、より好ましくは炭素数５から２０、更に好ましくは炭素数５から１５の置換もしくは無置換のビシクロアルケニル基である。つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。置換基の例には、ヒドロキシ基、アルコキシ基、シアノ基、ハロゲン原子およびイオン性親水性基が含まれる。
【００４０】
アルキニル基としては、好ましくは、置換基を除いた状態の炭素数２から３０、より好ましくは炭素数２から２０、更に好ましくは２から１５の置換または無置換のアルキニル基、例えば、エチニル基、プロパルギル基、トリメチルシリルエチニル基等が挙げられる。置換基の例には、ヒドロキシ基、アルコキシ基、シアノ基、ハロゲン原子およびイオン性親水性基が含まれる。
【００４１】
アラルキル基としては、置換基を有するアラルキル基および無置換のアラルキル基が含まれる。アラルキル基としては、置換基を除いたときの炭素原子数が７から３０、より好ましくは７から２０、さらに好ましくは７から１５である置換もしくは無置換のアラルキル基が好ましい。アラルキル基の例には、ベンジル基、および２−フェネチル基が含まれる。置換基の例には、ヒドロキシ基、アルコキシ基、シアノ基、ハロゲン原子およびイオン性親水性基が含まれる。
【００４２】
アリール基としては、好ましくは、置換基を除いた状態の炭素数６から３０、より好ましくは炭素数６から２０、更に好ましくは炭素数６から１５の置換もしくは無置換のアリール基である。例えば、フェニル基、ｐ−トリル基、ナフチル基、ｍ−クロロフェニル基、ｏ−ヘキサデカノイルアミノフェニル基等が挙げられる。置換基の例には、アルキル基、アリール基、ヒドロキシ基、アルコキシ基、シアノ基、ハロゲン原子およびイオン性親水性基が含まれる。
【００４３】
複素環基としては、好ましくは、５または６員の置換もしくは無置換の芳香族もしくは非芳香族の複素環化合物から一個の水素原子を取り除いた一価の基であり、更に好ましくは、複素環基の置換基を除いた状態で炭素数２から３０、より好ましくは炭素数２から２０、更に好ましくは炭素数２から１５の５または６員の芳香族の複素環基である。例えば、２−フリル基、２−チエニル基、２−ピリミジニル基、２−ベンゾチアゾリル基等が挙げられる。置換基の例には、アルキル基、アリール基、ヒドロキシ基、アルコキシ基、シアノ基、ハロゲン原子およびイオン性親水性基が含まれる。
【００４４】
アルコキシ基としては、好ましくは、置換基を除いた状態の炭素数１から３０、より好ましくは炭素数１から２０、更に好ましくは炭素数１から１５の置換もしくは無置換のアルコキシ基を表し、例えば、メトキシ基、エトキシ基、イソプロポキシ基、ｔ−ブトキシ基、ｎ−オクチルオキシ基、２−メトキシエトキシ基等が挙げられる。置換基の例には、アリール基、ヒドロキシ基、アルコキシ基、シアノ基、ハロゲン原子およびイオン性親水性基が含まれる。
【００４５】
アリールオキシ基としては、好ましくは、置換基を除いた状態の炭素数６から３０、より好ましくは炭素数６から２０、更に好ましくは炭素数６から１５の置換もしくは無置換のアリールオキシ基を表し、例えば、フェノキシ基、２−メチルフェノキシ基、４−ｔ−ブチルフェノキシ基、３−ニトロフェノキシ基、２−テトラデカノイルアミノフェノキシ基等が挙げられる。置換基の例には、アルキル基、アリール基、ヒドロキシ基、アルコキシ基、シアノ基、ハロゲン原子およびイオン性親水性基が含まれる。
【００４６】
シリルオキシ基としては、好ましくは、置換基を除いた状態の炭素数０から２０、更に好ましくは炭素数０から１５の置換もしくは無置換のシリルオキシ基を表し、例えば、トリメチルシリルオキシ基、ジフェニルメチルシリルオキシ基等が挙げられる。置換基の例には、アルキル基、アリール基、および複素環基が含まれる。
【００４７】
複素環オキシ基としては、好ましくは、置換基を除いた状態の炭素数２から３０、より好ましくは炭素数２から２０、更に好ましくは炭素数２から１５の置換もしくは無置換の複素環オキシ基を表し、例えば、１−フェニルテトラゾール−５−オキシ基、２−テトラヒドロピラニルオキシ基等が挙げられる。置換基の例には、アルキル基、アリール基、ヒドロキシ基、アルコキシ基、シアノ基、ハロゲン原子およびイオン性親水性基が含まれる。
【００４８】
アシルオキシ基としては、好ましくは、ホルミルオキシ基、置換基を除いた状態で炭素数２から３０の置換もしくは無置換のアルキルカルボニルオキシ基であり、置換基を除いた状態で炭素数６から３０、より好ましくは炭素数６から２０、更に好ましくは炭素数６から１５の置換もしくは無置換のアリールカルボニルオキシ基である。例えば、アセチルオキシ基、ピバロイルオキシ基、ステアロイルオキシ基、ベンゾイルオキシ基、ｐ−メトキシフェニルカルボニルオキシ基等が挙げられる。置換基の例には、アルキル基、およびアリール基が含まれる。
【００４９】
カルバモイルオキシ基としては、好ましくは、置換基を除いた状態の炭素数１から３０、より好ましくは炭素数１から２０、更に好ましくは炭素数１から１５の置換もしくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。置換基の例には、アルキル基、アリール基、および複素環基が含まれる。
【００５０】
アルコキシカルボニルオキシ基としては、好ましくは、置換基を除いた状態の炭素数２から３０、より好ましくは炭素数２から２０、更に好ましくは炭素数２から１５の置換もしくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。置換基の例には、ヒドロキシ基、アルコキシ基、シアノ基、ハロゲン原子およびイオン性親水性基が含まれる。
【００５１】
アリールオキシカルボニルオキシ基としては、好ましくは、置換基を除いた状態の炭素数７から３０、より好ましくは炭素数７から２０、更に好ましくは炭素数７から１５の置換もしくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。置換基の例には、アルキル基、ヒドロキシ基、アルコキシ基、シアノ基、ハロゲン原子およびイオン性親水性基が含まれる。
【００５２】
アミノ基としては、アルキルアミノ基、アリールアミノ基、複素環アミノ基を含み、好ましくは、アミノ基、置換基を除いた状態の炭素数が１から３０、より好ましくは１から２０、更に好ましくは１から１５の置換もしくは無置換のアルキルアミノ基であり、置換基を除いた状態の炭素数が６から３０、より好ましくは６から２０、更に好ましくは６から１５の置換もしくは無置換のアリール基であり、例えば、メチルアミノ基、ジメチルアミノ基、アニリノ基、Ｎ−メチル−アニリノ基、ジフェニルアミノ基等が挙げられる。置換基の例にはアルキル基、アリール基、複素環基、ヒドロキシ基、アルコキシ基、シアノ基、ハロゲン原子およびイオン性親水性基が含まれる。
【００５３】
アシルアミノ基としては、好ましくは、ホルミルアミノ基、置換基を除いた状態の炭素数が１から３０、より好ましくは１から２０、更に好ましくは１から１５の置換もしくは無置換のアルキルカルボニルアミノ基、置換基を除いた状態の炭素数が６から３０、より好ましくは６から２０、更に好ましくは６から１５の置換もしくは無置換のアリールカルボニルアミノ基であり、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。置換基の例には、ヒドロキシ基、アルコキシ基、シアノ基、ハロゲン原子およびイオン性親水性基が含まれる。
【００５４】
アミノカルボニルアミノ基としては、好ましくは、置換基を除いた状態の炭素数１から３０、より好ましくは炭素数１から２０、更に好ましくは炭素数１から１５の置換もしくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。置換基の例には、アルキル基、アリール基、および複素環基が含まれる。
【００５５】
アルコキシカルボニルアミノ基としては、好ましくは、置換基を除いた状態の炭素数２から３０、より好ましくは炭素数２から２０、更に好ましくは炭素数２から１５の置換もしくは無置換アルコキシカルボニルアミノ基を表し、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。置換基の例には、ヒドロキシ基、アルコキシ基、シアノ基、ハロゲン原子およびイオン性親水性基が含まれる。
【００５６】
アリールオキシカルボニルアミノ基としては、好ましくは、置換基を除いた状態の炭素数７から３０、より好ましくは炭素数７から２０、更に好ましくは炭素数７から１５の置換もしくは無置換のアリールオキシカルボニルアミノ基を表し、例えば、フェノキシカルボニルアミノ基、ｐ−クロロフェノキシカルボニルアミノ基、ｍ−ｎ−オクチルオキシフェノキシカルボニルアミノ基等が挙げられる。置換基の例には、ヒドロキシ基、アルコキシ基、シアノ基、ハロゲン原子およびイオン性親水性基が含まれる。
【００５７】
スルファモイルアミノ基としては、好ましくは、置換基を除いた状態の炭素数０から３０、より好ましくは炭素数０から２０、更に好ましくは炭素数０から１５の置換もしくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。置換基の例には、アルキル基、アリール基、および複素環基が含まれる。
【００５８】
アルキルもしくはアリールスルホニルアミノ基としては、好ましくは、置換基を除いた状態の炭素数が１から３０、より好ましくは１から２０、更に好ましくは１から１５の置換もしくは無置換のアルキルスルホニルアミノ基であり、炭素数が６から３０、より好ましくは６から２０、更に好ましくは６から１５の置換もしくは無置換のアリールスルホニルアミノ基である。例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。置換基の例には、ヒドロキシ基、アルコキシ基、シアノ基、ハロゲン原子およびイオン性親水性基が含まれる。
【００５９】
アルキルチオ基としては、好ましくは、置換基を除いた状態の炭素数１から３０、より好ましくは炭素数１から２０、更に好ましくは炭素数１から１５の置換もしくは無置換のアルキルチオ基、例えば、メチルチオ基、エチルチオ基、ｎ−ヘキサデシルチオ基等が挙げられる。置換基の例には、アリール基、ヒドロキシ基、アルコキシ基、シアノ基、ハロゲン原子およびイオン性親水性基が含まれる。
【００６０】
アリールチオ基としては、好ましくは、置換基を除いた状態の炭素数６から３０、より好ましくは炭素数６から２０、更に好ましくは炭素数６から１５の置換もしくは無置換のアリールチオ基、例えば、フェニルチオ基、ｐ−クロロフェニルチオ基、ｍ−メトキシフェニルチオ基等が挙げられる。置換基の例には、アルキル基、アリール基、ヒドロキシ基、アルコキシ基、シアノ基、ハロゲン原子およびイオン性親水性基が含まれる。
【００６１】
複素環チオ基としては、好ましくは、置換基を除いた状態の炭素数２から３０、より好ましくは炭素数２から２０、更に好ましくは炭素数２から１５の置換または無置換の複素環チオ基、例えば、２−ベンゾチアゾリルチオ基、１−フェニルテトラゾール−５−イルチオ基等が挙げられる。置換基の例には、アルキル基、アリール基、ヒドロキシ基、アルコキシ基、シアノ基、ハロゲン原子およびイオン性親水性基が含まれる。
【００６２】
スルファモイル基としては、好ましくは、置換基を除いた状態の炭素数０から３０、より好ましくは炭素数０から２０、更に好ましくは炭素数０から１５の置換もしくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ‘−フェニルカルバモイル）スルファモイル基等が挙げられる。置換基の例には、アルキル基、アリール基、および複素環基が含まれる。
【００６３】
アルキルまたはアリールスルフィニル基としては、好ましくは、置換基を除いた状態の炭素数が１から３０、より好ましくは１から２０、更に好ましくは１から１５の置換または無置換のアルキルスルフィニル基であり、置換基を除いた状態の炭素数が６から３０、より好ましくは６から２０、更に好ましくは６から１５の置換または無置換のアリールスルフィニル基、例えば、メチルスルフィニル基、エチルスルフィニル基、フェニルスルフィニル基、ｐ−メチルフェニルスルフィニル基等が挙げられる。置換基の例には、ヒドロキシ基、アルコキシ基、シアノ基、ハロゲン原子およびイオン性親水性基が含まれる。
【００６４】
アルキルまたはアリールスルホニル基としては、好ましくは、置換基を除いた状態の炭素数が１から３０、より好ましくは１から２０、更に好ましくは１から１５の置換または無置換のアルキルスルホニル基、置換基を除いた状態の炭素数が６から３０、より好ましくは６から２０、更に好ましくは６から１５の置換または無置換のアリールスルホニル基、例えば、メチルスルホニル基、エチルスルホニル基、フェニルスルホニル基、ｐ−メチルフェニルスルホニル基等が挙げられる。置換基の例には、ヒドロキシ基、アルコキシ基、シアノ基、ハロゲン原子およびイオン性親水性基が含まれる。
【００６５】
アシル基としては、好ましくは、ホルミル基、置換基を除いた状態の炭素数が２から３０、より好ましくは２から２０、更に好ましくは２から１５の置換または無置換のアルキルカルボニル基、置換基を除いた状態の炭素数が７から３０、より好ましくは７から２０、更に好ましくは７から１５の置換もしくは無置換のアリールカルボニル基、置換基を除いた状態の炭素数が２から３０、より好ましくは２から２０、更に好ましくは２から１５の置換もしくは無置換の炭素原子でカルボニル基と結合している複素環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。置換基の例には、アルキル基、アリール基、および複素環基が含まれる。
【００６６】
アリールオキシカルボニル基としては、好ましくは、アリールオキシカルボニル基の置換基を除いた状態で炭素数７から３０、より好ましくは炭素数７から２０、更に好ましくは炭素数７から１５の置換もしくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。置換基の例には、ヒドロキシ基、アルコキシ基、シアノ基、ハロゲン原子およびイオン性親水性基が含まれる。
【００６７】
アルコキシカルボニル基としては、好ましくは、アルコキシカルボニル基の置換基を除いた状態で炭素数２から３０、より好ましくは炭素数２から２０、更に好ましくは炭素数２から１５の置換もしくは無置換アルコキシカルボニル基、例えば、メトキシカルボニル基、エトキシカルボニル基、ｔ−ブトキシカルボニル基、ｎ−オクタデシルオキシカルボニル基等が挙げられる。置換基の例には、ヒドロキシ基、アルコキシ基、シアノ基、ハロゲン原子およびイオン性親水性基が含まれる。
【００６８】
カルバモイル基としては、好ましくは、カルバモイル基の置換基を除いた状態で炭素数１から３０、より好ましくは炭素数１から２０、更に好ましくは炭素数１から１５の置換もしくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。置換基の例には、アルキル基、アリール基、および複素環基が含まれる。
【００６９】
アリールまたは複素環アゾ基としては、好ましくは置換基を除いた状態の炭素数が６から３０、より好ましくは６から２０、更に好ましくは６から１５の置換もしくは無置換のアリールアゾ基、置換基を除いた状態の炭素数が３から３０、より好ましくは３から２０、更に好ましくは３から１５の置換もしくは無置換の複素環アゾ基、例えば、フェニルアゾ、ｐ−クロロフェニルアゾ、５−エチルチオ−１，３，４−チアジアゾール−２−イルアゾ等が挙げられる。置換基の例には、ヒドロキシ基、アルコキシ基、シアノ基、ハロゲン原子およびイオン性親水性基が含まれる。
【００７０】
イミド基としては、好ましくは、イミド基の置換基を除いた状態で炭素数０から３０、より好ましくは炭素数０から２０、更に好ましくは炭素数０から１５の置換もしくは無置換のイミド基を表し、Ｎ−スクシンイミド基、Ｎ−フタルイミド基等が挙げられる。置換基の例には、アルキル基、アリール基、および複素環基が含まれる。
【００７１】
ホスフィノ基としては、好ましくは、置換基を除いた状態の炭素数が０から３０、より好ましくは０から２０、更に好ましくは０から１５の置換もしくは無置換のホスフィノ基、例えば、ジメチルホスフィノ基、ジフェニルホスフィノ基、メチルフェノキシホスフィノ基等が挙げられる。
【００７２】
ホスフィニル基としては、好ましくは、置換基を除いた状態の炭素数が０から３０、より好ましくは０から２０、更に好ましくは０から１５の置換もしくは無置換のホスフィニル基、例えば、ホスフィニル基、ジオクチルオキシホスフィニル基、ジエトキシホスフィニル基等が挙げられる。置換基の例には、アルキル基、アリール基、および複素環基が含まれる。
【００７３】
ホスフィニルオキシ基としては、好ましくは、置換基を除いた状態の炭素数が０から３０、より好ましくは０から２０、更に好ましくは０から１５の置換もしくは無置換のホスフィニルオキシ基、例えば、ジフェノキシホスフィニルオキシ基、ジオクチルオキシホスフィニルオキシ基等が挙げられる。置換基の例には、アルキル基、アリール基、および複素環基が含まれる。
【００７４】
ホスフィニルアミノ基としては、好ましくは、置換基を除いた状態の炭素数が０から３０、より好ましくは０から２０、更に好ましくは０から１５の置換もしくは無置換のホスフィニルアミノ基、例えば、ジメトキシホスフィニルアミノ基、ジメチルアミノホスフィニルアミノ基が挙げられる。置換基の例には、アルキル基、アリール基、および複素環基が含まれる。
【００７５】
シリル基としては、好ましくは、置換基を除いた状態の炭素数が０から３０、より好ましくは０から２０、更に好ましくは０から１５の置換もしくは無置換のシリル基、例えば、トリメチルシリル基、ｔ−ブチルジメチルシリル基、フェニルジメチルシリル基等が挙げられる。置換基の例には、アルキル基、アリール基、複素環基が含まれる。
【００７６】
イオン性親水性基としては、スルホ基、カルボキシル基、ホスホノ基、および４級アンモニウム基等が含まれる。イオン性親水性基としては、カルボキシル基およびスルホ基が好ましく、特にカルボキシル基が好ましい。カルボキシル基およびスルホ基は塩の状態であってもよく、塩を形成する対イオンの例には、アルカリ金属イオン（例、リチウムイオン、ナトリウムイオン、カリウムイオン）および有機カチオン（例、テトラメチルグアニジウムイオン）が含まれる。塩の状態のイオン性親水性基の例としては、スルホン酸リチウム、カルボン酸カリウム、テトラメチルアンモニウムクロリドが挙げられる。
【００７７】
上記の置換基の中で、水素原子を有するものは、該水素原子が上記の置換基で置換されていても良い。そのような置換基の例としては、アルキルカルボニルアミノスルホニル基、アリールカルボニルアミノスルホニル基、アルキルスルホニルアミノカルボニル基、アリールスルホニルアミノカルボニル基が挙げられる。その例としては、メチルスルホニルアミノカルボニル基、ｐ−メチルフェニルスルホニルアミノカルボニル基、アセチルアミノスルホニル基、ベンゾイルアミノスルホニル基が挙げられる。
【００７８】
Ａ１およびＡ２はそれぞれ独立に、水素原子または置換基を表す。該置換基としては前記置換基（ＳＵＢ）に記載のものが適用できる。Ａ１およびＡ２として好ましくは水素原子、ハロゲン原子、アルキル基、アルケニル基、アルキニル基、アラルキル基、アリール基、複素環基、シアノ基、ヒドロキシ基、ニトロ基、カルボキシル基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルもしくはアリールスルホニルアミノ基、メルカプト基、アルキルチオ基、アリールチオ基、複素環チオ基、スルファモイル基、スルホ基、アルキルもしくはアリールスルフィニル基、アルキルもしくはアリールスルホニル基、アシル基、アリールオキシカルボニル基、アルコキシカルボニル基、カルバモイル基、アリールもしくは複素環アゾ基、イミド基、ホスフィノ基、ホスフィニル基、ホスフィニルオキシ基、ホスフィニルアミノ基、シリル基またはイオン性親水性基を表し、より好ましくは水素原子、ハロゲン原子、アルキル基、アルケニル基、アルキニル基、アリール基、複素環基、ヒドロキシ基、アルコキシ基、アリールオキシ基、複素環オキシ基、アミノ基、アルキル基、アリール基もしくは複素環基で置換されたアミノ基、チオ基、アルキルもしくはアリールチオ基、複素環チオ基、またはイオン性親水性基を表す。その中でも好ましいＡ１およびＡ２としては水素原子、総炭素数１から８のアルキル基または総炭素数６から１２のアリール基であり、水素原子、イソプロピル基、ｓｅｃ−ブチル基またはｔｅｒｔ−ブチル基が最も好ましい。各基は更に置換基を有していても良い。
【００７９】
Ｙは−ＯＭまたは−ＮＲ１Ｒ２を表し、Ｍは水素原子または金属イオンを表し、Ｒ１およびＲ２はそれぞれ独立に、水素原子もしくはアルキル基、アルケニル基、アルキニル基、アラルキル基、アリール基または複素環基を表す。Ｙとして好ましくは−ＯＭである。Ｍとして好ましくは水素原子、アルカリ金属イオンであり、更に好ましくは、アルカリ金属イオンである。アルカリ金属イオンの中でも、リチウムイオン、ナトリウムイオン、またはカリウムイオンがより好ましく、リチウムイオン、またはカリウムイオンが更に好ましい。Ｙが−ＮＲ１Ｒ２である場合、Ｒ１およびＲ２はそれぞれ前記置換基（ＳＵＢ）に記載の対応する基が適用できる。Ｒ１およびＲ２としてより好ましくは水素原子、アルキル基またはアリール基であり、更に好ましくは水素原子またはアルキル基であり、特に好ましくは水素原子である。
【００８０】
以上をまとめると、本発明の一般式（１）は、下記（イ）〜（ハ）の組み合わせからなるものが好ましい。
（イ）Ａｒ１およびＡｒ２はそれぞれ独立に、好ましくは、ピラゾリル基、チアゾリル基、イソチアゾリル基、またはチアジアゾリル基であり、特に好ましくはピラゾリル基、またはチアジアゾリル基である。ピラゾリル基の置換基として好ましくはアルキル基、アリール基、シアノ基、−ＳＯ２ＣＨ３または−ＳＯ２Ｐｈであり、最も好ましくはピラゾリル基の置換基がアリール基、およびシアノ基であり、チアジアゾリル基の置換基として好ましくは、アルキル基またはアリール基である。
（ロ）Ａ１およびＡ２はそれぞれ独立に、水素原子、総炭素数１から８のアルキル基、総炭素数６から１２のアリール基が好ましく、水素原子、イソプロピル基、ｓｅｃ−ブチル基、またはｔｅｒｔ−ブチル基がより好ましく、ｔｅｒｔ−ブチル基が最も好ましい。
（ハ）Ｙは−ＯＭまたは−ＮＲ１Ｒ２を表し、好ましくはＹは−ＯＭである。Ｍはアルカリ金属イオンが好ましく、アルカリ金属イオンの中でも、リチウムイオンまたはカリウムイオンが更に好ましい。Ｒ１およびＲ２はそれぞれ独立に、好ましくは水素原子またはアルキル基であり、特に好ましくは水素原子である。
なお、一般式（１）で表される化合物は、種々の置換基の少なくとも1つが前記の好ましい基である化合物が好ましく、置換基のより多くが前記の好ましい基である化合物がより好ましく、全ての置換基が前記の好ましい基である化合物が最も好ましい。
【００８１】
一般式（１）で表される化合物の中でも、下記一般式（８）で表される化合物がより好ましい。
【００８２】
【化８】
2010024444.tif 000009
【００８３】
上記一般式（８）中、Ａ１、Ａ２、Ｙは一般式（１）におけるＡ１、Ａ２、Ｙと同義である。Ｙ１、およびＹ２はそれぞれ独立に、水素原子または置換基を表す。
【００８４】
Ｘ１およびＸ２はそれぞれ独立に、ハメットのσｐ値０．２０以上の電子求引性基を表す。
【００８５】
Ｚ１、Ｚ２はそれぞれ独立に、水素原子、アルキル基、アルケニル基、アルキニル基、アラルキル基、アリール基、または複素環基を表す。
【００８６】
以下に、一般式（８）の基について詳細に説明する。
【００８７】
Ａ１、Ａ２、及びＹは一般式（１）で説明した詳細と同義である。
【００８８】
Ｙ１およびＹ２として好ましくは、水素原子、ハロゲン原子、アルキル基、アルケニル基、アルキニル基、アラルキル基、アリール基、複素環基、シアノ基、カルバモイル基、アルコキシカルボニル基、アリールオキシカルボニル基、アシル基、ヒドロキシ基、アルコキシ基、アリールオキシ基、シリルオキシ基、アシルオキシ基、カルバモイルオキシ基、複素環オキシ基、アルコキシカルボニルオキシ基、アリールオキシカルボニルオキシ基、アミノ基、アルキル基、アリール基もしくは複素環基で置換されたアミノ基、アシルアミノ基、アミノカルボニルアミノ基、スルファモイルアミノ基、アルコキシカルボニルアミノ基、アルキルもしくはアリールスルホニルアミノ基、アリールオキシカルボニルアミノ基、ニトロ基、チオ基、アルキルもしくはアリールチオ基、アシルチオ基、カルバモイルチオ基、複素環チオ基、アルコキシカルボニルチオ基、アリールオキシカルボニルチオ基、アルキルもしくはアリールスルホニル基、アルキルもしくはアリールスルフィニル基、スルファモイル基、イオン性親水性基、またはアシルアミノ基である。前記の各基は前記置換基（ＳＵＢ）に記載の対応する基の記載が適用できる。
【００８９】
Ｙ１およびＹ２として更に好ましくは水素原子、ハロゲン原子、アルキル基、アリール基、複素環基、シアノ基、アルコキシ基、アシルアミノ基、アミノカルボニルアミノ基、アルキルスルホニルアミノ基、アリールスルホニルアミノ基、スルファモイル基、アルキルスルホニル基、アリールスルホニル基、カルバモイル基、またはアルコキシカルボニル基であり、特に水素原子、ハロゲン原子、アルキル基、アリール基、シアノ基、アルキルスルホニル基、アリールスルホニル基、または複素環基が好ましく、水素原子が最も好ましい。
【００９０】
置換基σｐ値が０．２０以上のＸ１およびＸ２として好ましくは、アシル基、アシルオキシ基、カルボキシル基、カルバモイル基、アルコキシカルボニル基、アリールオキシカルボニル基、シアノ基、ニトロ基、ジアルキルホスホノ基、ジアリールホスホノ基、ジアリールホスフィニル基、アルキルチオ基、アリールチオ基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σｐ値が０．２０以上の他の置換基で置換されたアリール基、複素環基、ハロゲン原子、アゾ基およびセレノシアネート基が挙げられる。前記の各基は前記置換基（ＳＵＢ）に記載の対応する基の記載が適用できる。
【００９１】
好ましいＸ１およびＸ２は、シアノ基、カルバモイル基、アルコキシカルボニル基、アルキルスルホニル基、アリールスルホニル基、またはハロゲン原子であり、より好ましくは、シアノ基、アルコキシカルボニル基、アルキルスルホニル基、またはアリールスルホニル基であり、最も好ましくはシアノ基、アルキルスルホニル基、またはアリールスルホニル基である。この中でもシアノ基が最も好ましい。
【００９２】
Ｚ１およびＺ２として好ましくは、アルキル基、シクロアルキル基、アラルキル基、アルケニル基、アルキニル基、アリール基、複素環基、アルキルスルフィニル基、アリールスルフィニル基、アルキルスルホニル基、アリールスルホニル基、アシル基、アリールオキシ基、アリールオキシカルボニル基、アルコキシカルボニル基、カルバモイル基、ホスフィノ基、ホスフィニル基、またはシリル基を挙げることができ、各々はさらに置換基を有していてもよい。
【００９３】
Ｚ１およびＺ２の中でも特に好ましいものは、アルキル基、アリール基、複素環基、アルキルスルホニル基、アリールスルホニル基、アシル基（好ましくはアリールカルボニル基）またはカルバモイル基がより好ましく、置換アリール基が更に好ましい。
【００９４】
以上をまとめると、本発明の一般式（８）は、下記（イ）〜（ホ）の組み合わせからなるものが好ましい。
（イ）Ｙ１およびＹ２はそれぞれ独立に、特に水素原子、ハロゲン原子、アルキル基、アリール基、シアノ基、アルキルスルホニル基、アリールスルホニル基、または複素環基が好ましく、水素原子が最も好ましい。
（ロ）Ａ１およびＡ２はそれぞれ独立に、水素原子、総炭素数１から８のアルキル基、総炭素数６から１２のアリール基が好ましく、イソプロピル基、ｓｅｃ−ブチル基、またはｔｅｒｔ−ブチル基がより好ましく、ｔｅｒｔ−ブチル基が最も好ましい。
（ハ）Ｘ１およびＸ２は、シアノ基、アルキルスルホニル基、またはアリールスルホニル基が好ましくシアノ基が更に好ましい。
（ニ）Ｚ１およびＺ２はそれぞれ独立に、アルキル基、アリール基、複素環基、アルキルスルホニル基、アリールスルホニル基、アシル基、アリールカルボニル基またはカルバモイル基がより好ましく、置換アリール基が更に好ましい。該置換アリール基は少なくとも２つ（好ましくは２つ）がスルホ基またはカルボキシル基を置換基として有するフェニル基が好ましい。
（ホ）Ｙは−ＯＭが好ましい。Ｍはアルカリ金属イオンが好ましく、アルカリ金属イオンの中でも、リチウムイオンまたはカリウムイオンが更に好ましい。
なお、一般式（８）で表される化合物は、種々の置換基の少なくとも1つが前記の好ましい基である化合物が好ましく、置換基のより多くが前記の好ましい基である化合物がより好ましく、全ての置換基が前記の好ましい基である化合物が最も好ましい。
【００９５】
一般式（８）で表される化合物の中でも、下記一般式（９）で表される化合物がさらに好ましい。
【００９６】
【化９】
2010024444.tif 000010
【００９７】
上記一般式（９）中、Ａ１、Ａ２、Ｘ１、Ｘ２、Ｙ１、Ｙ２は一般式（８）におけるＡ１、Ａ２、Ｘ１、Ｘ２、Ｙ１、Ｙ２と同義である。Ｗ１１、Ｗ１２、Ｗ１３、Ｗ１４、Ｗ１５、Ｗ２１、Ｗ２２、Ｗ２３、Ｗ２４及びＷ２５はそれぞれ独立に、水素原子または置換基を表す。
【００９８】
Ｍは水素原子または金属イオンを表す。
【００９９】
以下に、一般式（９）の基について詳細に説明する。
【０１００】
Ａ１およびＡ２は一般式（１）で説明した詳細と同義である。
【０１０１】
Ｙ１およびＹ２は、一般式（８）で説明した詳細と同義である。
【０１０２】
Ｘ１およびＸ２は、一般式（８）で説明した詳細と同義である。
【０１０３】
Ｗ１１、Ｗ１２、Ｗ１３、Ｗ１４、Ｗ１５、Ｗ２１、Ｗ２２、Ｗ２３、Ｗ２４及びＷ２５として好ましくは、水素原子、ハロゲン原子、アルキル基、アリール基、複素環基、シアノ基、アルコキシ基、アシルアミノ基、アミノカルボニルアミノ基、アルキルスルホニルアミノ基、アリールスルホニルアミノ基、スルファモイル基、アルキルスルホニル基、アリールスルホニル基、カルバモイル基、アルコキシカルボニル基、スルホ基(それらの塩を含む)、カルボキシル基(それらの塩を含む)、水酸基(塩でもよい)、ホスホノ基（塩でもよい）又は４級アンモニウムであり、その中でも水素原子、ハロゲン原子、アルキル基、スルホ基(それらの塩を含む)、カルボキシル基(それらの塩を含む)、水酸基(塩でもよい) (それらの塩を含む)が好ましく、更に水素原子、スルホ基(それらの塩を含む)、カルボキシル基(それらの塩を含む)が好ましく、特にＷ１１、Ｗ１２、Ｗ１３、Ｗ１４及びＷ１５のうち少なくとも１つがスルホ基(それらの塩を含む)、カルボキシル基(それらの塩を含む)且つＷ２１、Ｗ２２、Ｗ２３、Ｗ２４及びＷ２５のうち少なくとも１つがスルホ基(それらの塩を含む)、カルボキシル基(それらの塩を含む)が好ましい。Ｗ１１〜Ｗ１５の中の２つ、かつ、Ｗ２１〜Ｗ２５の中の２つがカルボキシル基(それらの塩を含む)であり、かつ他は水素原子である場合が好ましい。前記のハロゲン原子、アルキル基、アリール基、複素環基、シアノ基、アルコキシ基、アシルアミノ基、アミノカルボニルアミノ基、アルキルスルホニルアミノ基、アリールスルホニルアミノ基、スルファモイル基、アルキルスルホニル基、アリールスルホニル基、カルバモイル基、アルコキシカルボニル基の各基は前記置換基（ＳＵＢ）に記載の対応する基の記載が適用できる。
【０１０４】
Ｍは水素原子または金属イオンを表す。より好ましくは、水素原子、アルカリ金属イオンであり、更に好ましくは、アルカリ金属イオンである。アルカリ金属イオンの中でも、リチウムイオン、ナトリウムイオン、またはカリウムイオンがより好ましく、リチウムイオン、またはカリウムイオンが最も好ましい。
【０１０５】
以上をまとめると、本発明の一般式（９）は、下記（イ）〜（ホ）の組み合わせからなるものが好ましい。
（イ）Ｙ１およびＹ２はそれぞれ独立に、特に水素原子、ハロゲン原子、アルキル基、アリール基、シアノ基、アルキルスルホニル基、アリールスルホニル基、または複素環基が好ましく、水素原子、またはアルキル基がより好ましく、水素原子が最も好ましい。
（ロ）Ａ１およびＡ２はそれぞれ独立に、水素原子、総炭素数１から８のアルキル基、総炭素数６から１２のアリール基が好ましく、イソプロピル基、ｓｅｃ−ブチル基、またはｔｅｒｔ−ブチル基がより好ましく、ｔｅｒｔ−ブチル基が最も好ましい。
（ハ）Ｘ１およびＸ２はそれぞれ独立に、シアノ基、アルキルスルホニル基、またはアリールスルホニル基が好ましくシアノ基が更に好ましい。
（ニ）Ｗ１１、Ｗ１２、Ｗ１３、Ｗ１４、Ｗ１５、Ｗ２１、Ｗ２２、Ｗ２３、Ｗ２４及びＷ２５はそれぞれ独立に、水素原子、スルホ基(それらの塩を含む)、またはカルボキシル基(それらの塩を含む)が好ましく、特にＷ１１、Ｗ１２、Ｗ１３、Ｗ１４及びＷ１５のうち少なくとも１つがスルホ基(それらの塩を含む)、またはカルボキシル基(それらの塩を含む)で、且つＷ２１、Ｗ２２、Ｗ２３、Ｗ２４及びＷ２５のうち少なくとも１つがスルホ基(それらの塩を含む)、カルボキシル基(それらの塩を含む)である場合が好ましい。Ｗ１１〜Ｗ１５の中の２つ、かつ、Ｗ２１〜Ｗ２５の中の２つがカルボキシル基(それらの塩を含む)である場合が好ましい。
（ホ）Ｍはアルカリ金属イオンが好ましく、アルカリ金属イオンの中でも、リチウムイオンまたはカリウムイオンが更に好ましい。
なお、一般式（９）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０１０６】
一般式（１）で表される化合物の中でも、下記一般式（１０）で表される化合物がより好ましい。
【０１０７】
【化１０】
2010024444.tif 000011
【０１０８】
上記一般式（１０）中、Ａ１、Ａ２、Ｙは一般式（１）におけるＡ１、Ａ２、Ｙと同義である。Ｄ１およびＤ２はそれぞれ独立に、水素原子または置換基を表す。
【０１０９】
以下に置換基の詳細を説明する。
【０１１０】
Ａ１およびＡ２は一般式（１）で説明した詳細と同義である。
【０１１１】
Ｙは一般式（１）で説明した詳細と同義である。
【０１１２】
Ｄ１およびＤ２として好ましくは、それぞれ独立に、水素原子、アルキル基、シクロアルキル基、アラルキル基、アルケニル基、アルキニル基、アリール基、複素環基、シアノ基、ヒドロキシ基、ニトロ基、アルコキシ基、アリールオキシ基、シリルオキシ基、複素環オキシ基、アシルオキシ基、カルバモイルオキシ基、アルコキシカルボニルオキシ基、アリールオキシカルボニルオキシ基、アミノ基（アルキルアミノ基、アリールアミノ基）、アシルアミノ基（アミド基）、アミノカルボニルアミノ基（ウレイド基）、アルコキシカルボニルアミノ基、アリールオキシカルボニルアミノ基、スルファモイルアミノ基、アルキルスルホニルアミノ基、アリールスルホニルアミノ基、アルキルチオ基、アリールチオ基、複素環チオ基、スルファモイル基、アルキルスルフィニル基、アリールスルフィニル基、アルキルスルホニル基、アリールスルホニル基、アシル基、アリールオキシカルボニル基、アルキルオキシカルボニル基、カルバモイル基、ホスフィノ基、ホスフィニル基、ホスフィニルオキシ基、ホスフィニルアミノ基、シリル基、アゾ基、またはイミド基を挙げることができ、前記の各基は前記置換基（ＳＵＢ）に記載の対応する基の記載が適用できる。各々はさらに置換基を有していてもよい。
【０１１３】
Ｄ１およびＤ２は更に好ましくは、それぞれ独立に、置換アルキル基、置換アリール基、置換複素環基、置換アルキルチオ基、置換アリールチオ基、置換複素環チオ基、置換アルキルアミノ基、置換アリールアミノ基が好ましく、その中でも置換アリール基、置換アリールチオ基が好ましく、特に置換アリール基が好ましい。該置換アリール基は少なくとも２つ（好ましくは２つ）がスルホ基またはカルボキシル基を有するフェニル基が好ましい。
【０１１４】
以上をまとめると、本発明の一般式（１０）は、下記（イ）〜（ハ）の組み合わせからなるものが好ましい。
（イ）Ａ１およびＡ２はそれぞれ独立に、水素原子、総炭素数１から８のアルキル基、または総炭素数６から１２のアリール基が好ましく、イソプロピル基、ｓｅｃ−ブチル基、またはｔｅｒｔ−ブチル基がより好ましく、ｔｅｒｔ−ブチル基が最も好ましい。
（ロ）Ｄ１およびＤ２はそれぞれ独立に、置換アルキル基、置換アリール基、置換複素環基、置換アルキルチオ基、置換アリールチオ基、または置換複素環チオ基が好ましく、その中でも置換アリール基、または置換アリールチオ基が好ましく、特に置換アリール基が好ましい。該置換アリール基は少なくとも２つ（好ましくは２つ）がスルホ基またはカルボキシル基を有するフェニル基が好ましい。
（ハ）Ｙは−ＯＭが好ましい。Ｍはアルカリ金属イオンが好ましく、アルカリ金属イオンの中でも、リチウムイオンまたはカリウムイオンが更に好ましい。
なお、一般式（１０）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０１１５】
一般式（１０）で表される化合物の中でも、下記一般式（１１）で表される化合物がより好ましい。
【０１１６】
【化１１】
2010024444.tif 000012
【０１１７】
上記一般式（１１）中、Ａ１、Ａ２、Ｄ１、Ｄ２は一般式（１０）におけるＡ１、Ａ２、Ｄ１、Ｄ２と同義である。Ｍは一般式（１）におけるＭと同義である。
【０１１８】
以下に一般式（１１）の置換基の詳細を説明する。
【０１１９】
Ａ１およびＡ２は一般式（１）で説明した詳細と同義である。
【０１２０】
Ｄ１およびＤ２は一般式（１０）で説明した詳細と同義である。
【０１２１】
Ｍは一般式(１)で説明した詳細と同義である．
【０１２２】
以上をまとめると、本発明の一般式（１１）は、下記（イ）〜（ハ）の組み合わせからなるものが好ましい。
（イ）Ａ１およびＡ２はそれぞれ独立に、水素原子、総炭素数１から８のアルキル基、または総炭素数６から１２のアリール基が好ましく、イソプロピル基、ｓｅｃ−ブチル基、またはｔｅｒｔ−ブチル基がより好ましく、ｔｅｒｔ−ブチル基が最も好ましい。
（ロ）Ｄ１およびＤ２はそれぞれ独立に、置換アルキル基、置換アリール基、置換複素環基、置換アルキルチオ基、置換アリールチオ基、または置換複素環チオ基が好ましく、その中でも置換アリール基、または置換アリールチオ基が好ましく、特に置換アリール基が好ましい。該置換アリール基は少なくとも２つ（好ましくは２つ）がスルホ基またはカルボキシル基を有するフェニル基が好ましい。
（ハ）Ｍはアルカリ金属イオンが好ましく、アルカリ金属イオンの中でも、リチウムイオンまたはカリウムイオンが更に好ましい。
なお、一般式（１１）で表される化合物は、種々の置換基の少なくとも１つが前記の好ましい基である化合物が好ましく、置換基のより多くが前記の好ましい基である化合物がより好ましく、全ての置換基が前記の好ましい基である化合物が最も好ましい。
【０１２３】
以下に一般式（１）で表される化合物について具体例を挙げるが、本発明はこれらによって限定されるものではない。
【０１２４】
【化１２】
2010024444.tif 000013
【０１２５】
【化１３】
2010024444.tif 000014
【０１２６】
【化１４】
2010024444.tif 000015
【０１２７】
【化１５】
2010024444.tif 000016
【０１２８】
上記化合物については、特開２００６−５７０７６号公報、特開２００７−２１７６８１号公報に記載の合成法により合成される。
【０１２９】
一般式（１）で表される化合物のインク組成物中の濃度は、固形分濃度で０．１質量％以上７．０質量％未満で使用される。好ましくは０．１質量％以上６．８質量％以下であり、０．５質量％以上６．７質量％以下がより好ましい。
【０１３０】
〔成分（Ｃ）〕
本発明のインク組成物においては、一般式（１）で表される化合物、及び保湿剤に加えて、成分（Ｃ）を有することを特徴とする。成分（Ｃ）はＣ．Ｉ．ダイレクトイエロー５９、同８６、同１３２、同１７３、Ｃ．Ｉ．アシッドイエロー２３および下記一般式（２）〜（６）から選ばれる少なくとも一つである。より好ましくはＣ．Ｉ．ダイレクトイエロー５９、同１７３、Ｃ．Ｉ．アシッドイエロー２３および下記一般式（２）〜（６）から選ばれる少なくとも一つであり、更に好ましくは下記一般式（２）〜（６）から選ばれる少なくとも一つである。但し、一般式（２）〜（５）中のＭは水素原子または金属イオンを表す。一般式（２）のRは水素原子またはメチル基を表す。一般式（６）のＭ’−はハロゲンイオン、無機アニオン、または有機アニオンを表す。
【０１３１】
【化１６】
2010024444.tif 000017
【０１３２】
成分（Ｃ）のインク組成物への添加によって、一般式（１）とともに会合体を形成していると推測され、かつ一般式（１）の色再現域を害さないことが分かった。これは、成分（Ｃ）のπ平面性が他の色材よりも高いことが要因と推測される。ただし、本発明はこのような推測によって限定されない。
【０１３３】
ここで一般式（２）〜（５）中のＭについて説明する。Ｍは水素原子または金属イオンを表し、Ｍとして好ましくは、金属イオンである。Ｍの表す金属イオンの中でも、アルカリ金属イオンが好ましい。Ｍの表すアルカリ金属イオンには、リチウムイオン、ナトリウムイオン、カリウムイオンが含まれるが、リチウムイオンまたはカリウムイオンが好ましい。
一般式（６）中のＭ’−について説明する。Ｍ’−はハロゲンイオン、無機アニオン又は有機アニオンを表す。ハロゲンイオンとしてはフッ素イオン、塩素イオン、臭素イオンを挙げることでき、無機アニオンとしては硝酸アニオン、硫酸アニオン、テトラフルオロホウ酸アニオン、ヘキサフルオロリン酸アニオン等が、有機アニオンとしてはメタンスルホン酸アニオン、トリフルオロメタンスルホン酸アニオン、ノナフルオロブタンスルホン酸アニオン、ｐ−トルエンスルホン酸アニオン等が好適に挙げられる。Ｍ’−としてはハロゲンイオンが好ましく、塩素イオンがより好ましい。
【０１３４】
成分（Ｃ）の添加量について説明する。成分（Ｃ）の添加量はインク組成物中７．０質量％未満が好ましい。より好ましくはインク組成物中０．１質量％以上７．０質量％未満であり、更に好ましくはインク組成物中０．２質量％以上５．０質量％以下である。成分（Ｃ）は、一般式（１）で表される化合物に対し０．０１〜１０質量倍が好ましく、０．０５〜５質量倍がより好ましく、０．５〜４質量倍が更に好ましい。
【０１３５】
〔インク組成物〕
本発明の好ましいインク組成物（以降、「インク組成物」を単に「インク」と略記することあり）は、少なくとも一般式（１）で表される化合物、保湿剤および成分（Ｃ）と水を含有するインクである。ただし保湿剤に含まれる水酸基を３個以上有する保湿剤は無添加であっても良い。本発明のインクは媒体を含有させることができる。媒体として溶媒を用いた場合は特にインクジェット記録用インクとして好適である。本発明のインクは、媒体として、親油性媒体や水性媒体を用いて、それらの中に、本発明の一般式（１）で表される化合物、成分（Ｃ）の色材および固形である添加剤を溶解及び／又は分散させることによって作製することができる。媒体として好ましくは水性媒体である。媒体には様々な機能が備わっている。インクの噴射口での乾操による目詰まりを防止するための保湿剤、インクを紙によりよく浸透させるための浸透促進剤の他、紫外線吸収剤、酸化防止剤、消泡剤、粘度調整剤、表面張力調整剤、分散剤、分散安定剤、防黴剤、防錆剤、ｐＨ調整剤等の効果があり、媒体の組み合わせでインク組成物としての物性や品質を調整したり改良したりすることが可能である。
【０１３６】
本発明で用いられる一般式（１）で表される化合物及び成分（Ｃ）を水性媒体に分散させる場合は、特開平１１−２８６６３７号、特開２００１−２４０７６３号、特開２００１−２６２０３９号、特開２００１−２４７７８８号のように染料と油溶性ポリマーとを含有する着色微粒子を水性媒体に分散したり、特開２００１−２６２０１８号、特開２００１−２４０７６３号、特開２００１−３３５７３４号、特開２００２−８０７７２号のように高沸点有機溶媒に溶解した本発明の一般式（１）で表される化合物及び成分（Ｃ）を水性媒体中に分散することが好ましい。本発明で用いられる一般式（１）で表される化合物及び成分（Ｃ）を水性媒体に分散させる場合の具体的な方法、使用する油溶性ポリマー、高沸点有機溶剤、添加剤及びそれらの使用量は、前記特許文献に記載されたものを好ましく使用することができる。あるいは、前記一般式（１）の化合物及び成分（Ｃ）を固体のまま微粒子状態に分散してもよい。分散時には、分散剤や界面活性剤を使用することができる。分散装置としては、簡単なスターラーやインペラー攪拌方式、インライン攪拌方式、ミル方式（例えば、コロイドミル、ボールミル、サンドミル、アトライター、ロールミル、アジテーターミル等）、超音波方式、高圧乳化分散方式（高圧ホモジナイザー；具体的な市販装置としてはゴーリンホモジナイザー、マイクロフルイダイザー、ＤｅＢＥＥ２０００等）を使用することができる。上記のインクジェット記録用インクの調製方法については、先述の特許文献以外にも特開平５−１４８４３６号、同５−２９５３１２号、同７−９７５４１号、同７−８２５１５号、同７−１１８５８４号、特開平１１−２８６６３７号、特開２００１−２７１００３号の各公報に詳細が記載されていて、本発明のインクジェット記録用インクの調製にも利用できる。
【０１３７】
本発明のインク組成物は、一般式（１）で表される化合物と保湿剤を含み、該一般式（１）で表される化合物の含有率が０．１質量％以上７．０質量％未満であり、水酸基を３個以上有する保湿剤の含有率が１０．０質量％以下であり、かつ、前記水酸基を３個以上有する保湿剤／前記一般式（１）で表される化合物のモル比が３０．０未満であるインク組成物である。
本発明のインク組成物（好ましくはインクジェット記録用インク組成物）１００質量部中に、一般式（１）で表される化合物が固形分で０．１質量％以上７．０質量％未満で、即ち、一般式（１）で表される化合物の含有率０．１質量％以上７．０質量％未満で使用される。好ましくは０．１質量％以上６．８質量％以下であり、０．５質量％以上６．７質量％以下が更に好ましい。
【０１３８】
本発明のインク組成物の好ましい態様は、本発明の一般式（１）で表される化合物を水性媒体で使用する場合には、本発明のインク組成物は少なくとも水と一般式（１）で表される化合物、保湿剤および成分（Ｃ）とを含み、該一般式（１）で表される化合物の含有率が０．１質量％以上７．０質量％未満であり、水酸基を３個以上有する保湿剤の含有率が１０．０質量％以下であり、かつ、前記水酸基を３個以上有する保湿剤／前記一般式（１）で表される化合物のモル比が３０．０未満である水性媒体からなるインク組成物であり、好ましくは、更に水酸基が２個以下の保湿剤を含有するインク組成物である。水酸基が２個以下の保湿剤、及び水酸基を３個以上有する保湿剤は、他の用途、例えば、乾燥防止剤、浸透促進剤、湿潤剤等として用いられ、またこれらの用途に限定されることはない。たとえばトリエタノールアミンは保湿剤としての効果もあるが、一方でｐＨ調整剤としての効果もある。この場合、保湿剤としての量の制限を受ける。以下に保湿剤について詳細を記載する。
【０１３９】
本発明で使用の保湿剤について説明する。保湿剤とは、少なくとも保湿剤を含むインク組成物中に溶解し、水の蒸発を緩和する働きのあるものを言う。この性質を利用し、色材がインク組成物から析出してくる等の要因の一つであるインク組成物の乾燥（濃縮）を抑制することが出来る。本発明で使用する保湿剤は、２５℃において液状であれば水より高い沸点を有する親水性有機溶剤であることが好ましく、２５℃において固体であれば、好ましくは水に溶解する化合物であり、その溶解度は水に対して０．１質量％以上であり、より好ましくは０．２質量％以上であり、さらに好ましくは０．５質量％以上の固体保湿剤である。ここで親水性有機溶剤とは、水にある比率で混合した際に液分離することなく均一状態になる有機溶剤のことを言う。水に対する親水性有機溶媒の２５℃における溶解度（相互溶解度とも言う）が、５質量％以上が好ましく、１０質量％以上がより好ましく、２０質量％以上のものが更に好ましい。また該親水性有機溶剤は１００℃以上、好ましくは１０５℃以上、さらに好ましくは１１０℃以上の沸点を有するものが好ましい。
一般に保湿剤には、多価アルコール誘導体、グリコールエーテル誘導体、アルキルアミン誘導体、尿素誘導体、カルボン酸およびその塩の誘導体、アミノ酸およびその塩の誘導体、糖誘導体などが挙げられ、好ましくは多価アルコール誘導体、グリコールエーテル誘導体、アルキルアミン誘導体、尿素誘導体、カルボン酸およびその塩の誘導体であり、更に多価アルコール誘導体、グリコールエーテル誘導体、アルキルアミン誘導体、尿素誘導体、特に尿素誘導体が好ましい。ここで誘導体とは、アルキル化、アリール化、複素環化、エステル化、エーテル化、ハロゲン化、アミド化、ヒドロキシル化、アミノ化など置換反応によって適当な置換基が修飾された化合物を言う。
保湿剤の中でも分子量が１０００以下の化合物が好ましく、より好ましくは分子量が９００以下であり、さらに８００以下の保湿剤が好ましい。保湿剤は水酸基の有無で大別できる。以下に水酸基を有する保湿剤について具体例を挙げて説明する。
【０１４０】
水酸基を３個以上有する保湿剤として例えば、多価アルコール類（例えば、グリセリン、エリスリトール、シクロヘキサントリオール、ブタントリオール、トリスヒドロキシメチルエタン、トリメチロールプロパン、トリメチロールエタン、１，２，６−ヘキサントリオール、ヘプタントリオール、スレイトール、アドニトール、キシリトール、ソルビトール、マンニトール、イノシトール、ベンゼントリオール）、エーテル誘導体（例えば、ジペンタエリスリトール）、アルコールアミン（例えば、トリエタノールアミン、トリスヒドロキシメチルアミノメタン、テトラキスヒドロキシプロピルエチレンジアミン、ペントロール、グルコースアミン、ヒアルロン酸ナトリウム）、テトラヒドロキシエチル尿素などの尿素誘導体が挙げられる。より好ましくは、グリセリン、エリスリトール、シクロヘキサントリオール、トリスヒドロキシメチルエタン、トリメチロールプロパン、ソルビトール、イノシトール、ベンゼントリオール、ジペンタエリスリトール、トリエタノールアミン、トリスヒドロキシメチルアミノメタン、ペントロール、グルコースアミンであり、更に好ましくはグリセリン、トリメチロールプロパン、トリエタノールアミン、トリスヒドロキシメチルアミノメタンである。
水酸基を３個以上有する保湿剤のインク組成物中の含有率は１０．０質量％以下であることが好ましく、８．５質量％以下であることがより好ましく、４．０質量％以下であることが更に好ましい。より好ましくは、水酸基を３個以上有する保湿剤のインク組成物中の含有率は０．０１質量％以上１０．０質量％以下であることが好ましく、０．０１質量％以上８．５質量％以下であることがより好ましく、０．０１質量％以上４．０質量％以下であることが更に好ましい。
【０１４１】
水酸基数が１個もしくは２個である保湿剤としては、エチレングリコール、プロピレングリコール、ジエチレングリコール、トリエチレングリコール、テトラエチレングリコール、ポリエチレングリコール、チオジエチレングリコール、ジチオジグリコール、２−メチル−１，３−プロパンジオール等に代表される多価アルコール類、エチレングリコールモノメチル（又はエチル）エーテル、ジエチレングリコールモノメチル（又はエチル）エーテル、トリエチレングリコールモノエチル（又はブチル）エーテル等の多価アルコールの低級アルキルエーテル類、エタノールアミン、ジエタノールアミン、Ｎ−メチルジエタノールアミン、Ｎ−エチルジエタノールアミン、セリン、ホモセリンなどのアミン類、２−ヒドロキシエチル−２−ピロリドン等の複素環類が挙げられる。より好ましくは、プロピレングリコール、ジエチレングリコール、トリエチレングリコール、テトラエチレングリコール、２−メチル−１，３−プロパンジオール、エチレングリコールモノエチルエーテル、ジエチレングリコールモノエチルエーテル、トリエチレングリコールモノブチルエーテル、エタノールアミン、ジエタノールアミン、Ｎ−メチルジエタノールアミン、２−ヒドロキシエチル−２−ピロリドンであり、更に好ましくは、ジエチレングリコール、トリエチレングリコール、テトラエチレングリコール、ジエチレングリコールモノエチルエーテル、トリエチレングリコールモノブチルエーテル、エタノールアミン、ジエタノールアミン、Ｎ−メチルジエタノールアミン、２−ヒドロキシエチル−２−ピロリドンである。
水酸基数が１もしくは２個である保湿剤のインク組成物中の含有率は０．５質量％以上４０質量％以下であることが好ましく、５質量％以上３０質量％以下であることがより好ましい。
【０１４２】
本発明のインク組成物は、前記水酸基数が０〜２個である保湿剤をさらに含むインク組成物が好ましく、中でも水酸基数が０個または１個である保湿剤を含むインク組成物が更に好ましい。
【０１４３】
水酸基を有しない保湿剤の例としては、ジエチレングリコールジメチルエーテル、テトラエチレングリコールジメチルエーテル、アミン（例えば、モルホリン、Ｎ−エチルモルホリン、エチレンジアミン、ジエチレントリアミン、トリエチレンテトラミン、ポリエチレンイミン、テトラメチルプロピレンジアミン）、極性溶媒（例えば、ホルムアミド、Ｎ，Ｎ−ジメチルホルムアミド、Ｎ，Ｎ−ジメチルアセトアミド、ジメチルスルホキシド、スルホラン、３−スルホレン、２−ピロリドン、Ｎ−メチル−２−ピロリドン、Ｎ−ビニル−２−ピロリドン、２−オキサゾリドン、１，３−ジメチル−２−イミダゾリジノン）、尿素誘導体（尿素、エチレン尿素、チオ尿素）、カルボン酸誘導体（ピリドンカルボン酸、乳酸、クエン酸およびこれらの塩）が挙げられる。好ましくはテトラエチレングリコールジメチルエーテル、モルホリン、スルホラン、２−ピロリドン、尿素、エチレン尿素であり、更に好ましくは、２−ピロリドン、尿素、エチレン尿素である。水酸基を有しない保湿剤のインク組成物中の含有率は０．５質量％以上３０質量％以下であることが好ましく、０．５質量％以上２０質量％以下であることがより好ましい。
【０１４４】
本発明の好ましい態様は、一般式（１）で表される化合物及び水酸基を３個以上有する保湿剤を含み、前記水酸基を３個以上有する保湿剤／前記一般式（１）で表される化合物のモル比が３０．０未満、好ましくは２５．０未満、より好ましくは０．０１以上２５．０未満、更に好ましくは０．０１以上１５．０未満であり、殊更好ましくは０．０１以上１０．０未満のインク組成物である。
特に、本発明の好ましい態様は、上記の条件に加え、水酸基を３個以上有する保湿剤の含有率がインク組成物中に含まれる全保湿剤の２５．０質量％未満、好ましくは２０．０質量％未満、より好ましくは０．０１質量％以上２０．０質量％未満、更に好ましくは０．０１質量％以上１５．０質量％未満、殊更好ましくは０．０１質量％以上１０．０質量％未満であるインク組成物である。
中でも、水酸基数が０〜２個である保湿剤を含むインク組成物が好ましく、水酸基数が０個または１個である保湿剤を含むインク組成物が更に好ましい。
【０１４５】
以下に、インク組成物に添加でき、保湿効果とは異なる効果を与える媒体を説明する。
【０１４６】
本発明に使用される浸透促進剤としてはエタノール、イソプロパノール、ブタノール、ジ（トリ）エチレングリコールモノブチルエーテル、１，２−ヘキサンジオール等のアルコール類やラウリル硫酸ナトリウム、オレイン酸ナトリウムやノニオン性界面活性剤等を用いることができる。本発明ではジエチレングリコールモノブチルエーテル、トリエチレングリコールモノブチルエーテル等のグリコールエーテル系浸透促進剤が好ましく用いられる。これらは印字の滲み、紙抜け（プリントスルー）を起こさない添加量の範囲で使用するのが好ましい。
ただし、本発明では浸透促進剤として用いる化合物が保湿剤にも該当する場合は、保湿剤であるとして添加量を換算するため、前記の添加量の制限が適用される。
【０１４７】
本発明で画像の保存性を向上させるために使用される紫外線吸収剤としては特開昭５８−１８５６７７号公報、同６１−１９０５３７号公報、特開平２−７８２号公報、同５−１９７０７５号公報、同９−３４０５７号公報等に記載されたベンゾトリアゾール系化合物、特開昭４６−２７８４号公報、特開平５−１９４４８３号公報、米国特許第３２１４４６３号等に記載されたベンゾフェノン系化合物、特公昭４８−３０４９２号公報、同５６−２１１４１号公報、特開平１０−８８１０６号公報等に記載された桂皮酸系化合物、特開平４−２９８５０３号公報、同８−５３４２７号公報、同８−２３９３６８号公報、同１０−１８２６２１号公報、特表平８−５０１２９１号公報等に記載されたトリアジン系化合物、リサーチディスクロージャーＮｏ．２４２３９号に記載された化合物やスチルベン系、ベンズオキサゾール系化合物に代表される紫外線を吸収して蛍光を発する化合物、いわゆる蛍光増白剤も用いることができる。これらは５質量％未満での使用が好ましい。ただし、本発明では紫外線吸収剤として用いる化合物が保湿剤にも該当する場合は、保湿剤であるとして添加量を換算するため、前記の添加量の制限が適用される。
【０１４８】
本発明では、画像の保存性を向上させるために使用される酸化防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、複素環類などがあり、金属錯体としてはニッケル錯体、亜鉛錯体などがある。より具体的にはリサーチディスクロージャーＮｏ．１７６４３の第VIIのＩないしＪ項、同Ｎｏ．１５１６２、同Ｎｏ．１８７１６の６５０頁左欄、同Ｎｏ．３６５４４の５２７頁、同Ｎｏ．３０７１０５の８７２頁、同Ｎｏ．１５１６２に引用された特許に記載された化合物や特開昭６２−２１５２７２号公報の１２７頁〜１３７頁に記載された代表的化合物の一般式及び化合物例に含まれる化合物を使用することができる。これらは５質量％未満での使用が好ましい。ただし、本発明では酸化防止剤として用いる化合物が保湿剤にも該当する場合は、保湿剤であるとして添加量を換算するため、前記の添加量の制限が適用される。
【０１４９】
本発明に使用される消泡剤は、ジメチルポリシロキサンとポリアルキレンオキサイドとのコポリマーであり、ペンダント型、末端変性型又はＡＢＮ型等があるが、ペンダント型が好ましい。これらのコポリマーはＦＺ−２２０３、−２２０７、−２２２２、−２１６６（日本ユニカー社製 商品名）等が挙げられる。これらは５質量％未満での使用が好ましい。ただし、本発明では消泡剤として用いる化合物が保湿剤にも該当する場合は、保湿剤であるとして添加量を換算するため、前記の添加量の制限が適用される。
【０１５０】
本発明に使用される防黴剤としてはデヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オンおよびその塩等が挙げられる。これらはインク中に０．０２〜５．００質量％使用するのが好ましい。
尚、これらの詳細については「防菌防黴剤事典」（日本防菌防黴学会事典編集委員会編）等に記載されている。
また、防錆剤としては、例えば、酸性亜硫酸塩、チオ硫酸ナトリウム、チオグリコール酸アンモン、ジイソプロピルアンモニウムニトライト、四硝酸ペンタエリスリトール、ジシクロヘキシルアンモニウムニトライト、ベンゾトリアゾール等が挙げられる。これらは、インク中に０．０２〜５．００質量％使用するのが好ましい。
【０１５１】
本発明に使用されるｐＨ調整剤は、ｐＨ調節、分散安定性付与などの点で好適に使用する事ができ、２３℃でのインクのｐＨが８〜１１、好ましくは７〜９に調整されていることが好ましい。ｐＨが８未満である場合は一般式（１）の化合物の溶解性が低下してノズルが詰まりやすく、１１を超えると耐水性が劣化する傾向がある。ｐＨ調整剤としては、塩基性のものとして有機塩基、無機アルカリ等が、酸性のものとして有機酸、無機酸等が挙げられる。
前記有機塩基としては、トリエタノールアミン、ジエタノールアミン、Ｎ−メチルジエタノールアミン、ジメチルエタノールアミン等が挙げられる。より好ましくはジエタノールアミン、Ｎ−メチルジエタノールアミン、ジメチルエタノールアミンであり、更に好ましくはＮ−メチルジエタノールアミン、ジメチルエタノールアミンである。前記無機アルカリとしては、アルカリ金属の水酸化物（例えば、水酸化ナトリウム、水酸化リチウム、水酸化カリウム等）、炭酸塩（例えば、炭酸ナトリウム、炭酸水素ナトリウム等）、アンモニウム等が挙げられる。また、前記有機酸としては、酢酸、プロピオン酸、トリフルオロ酢酸、アルキルスルホン酸等が挙げられる。前記無機酸としては、塩酸、硫酸、リン酸等が挙げられる。本発明ではpH調整剤として用いる化合物が保湿剤にも該当する場合は、保湿剤であるとして添加量を換算するため、前記の添加量の制限が適用される。なおトリエタノールアミンは水酸基を３個以上有する保湿剤に該当するので、前記の添加量の制限が適用される。
【０１５２】
本発明では表面張力調整剤等として、ノニオン、カチオンあるいはアニオン系界面活性剤が挙げられる。例えばアニオン系界面活性剤としては脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等を挙げることができ、ノニオン系界面活性剤としては、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等を挙げることができる。これらは５質量％未満での使用が好ましい。ただし、本発明では表面張力調整剤等として用いる化合物が保湿剤にも該当する場合は、保湿剤であるとして添加量を換算するため、前記の添加量の制限が適用される。
【０１５３】
本発明ではアセチレングリコール系（好ましくはアセチレン系ポリオキシエチレンオキシド）界面活性剤が好ましく用いられ、その例として、ＳＵＲＦＹＮＯＬＳ（ＡｉｒＰｒｏｄｕｃｔｓ＆Ｃｈｅｍｉｃａｌｓ社、サーフィノール４６５など）が挙げられる。界面活性剤の含有量はインク組成物全量に対して０．００１〜１５質量％、好ましくは０．００５〜１０質量％、更に好ましくは０．０１〜５質量％、特に好ましくは０．１〜５質量％である。
本発明で用いるインクの表面張力は動的・静的表面張力のいずれも、２５℃において２０〜５０ｍＮ／ｍ以下であることが好ましく、２０〜４０ｍＮ／ｍ以下であることが更に好ましい。表面張力が５０ｍＮ／ｍを超えると吐出安定性、混色時のにじみ、ひげ等印字品質が著しく低下する。また、インクの表面張力を２０ｍＮ／ｍ以下にすると吐出時、ハード表面へのインクの付着等により印字不良となる場合がある。
【０１５４】
本発明のインク粘度は、２５℃において１〜３０ｍＰａ・ｓであることが好ましい。更に好ましくは２〜１５ｍＰａ・ｓであり、特に好ましくは２〜１０ｍＰａ・ｓである。３０ｍＰａ・ｓを超えると記録画像の定着速度が遅くなり、吐出性能も低下する。１ｍＰａ・ｓ未満では、記録画像がにじむために品位が低下する。
粘度の調製はインク溶剤の添加量で任意に調製可能である。インク溶剤として例えば、グリセリン、ジエチレングリコール、プロピレングリコール、トリエタノールアミン、２−ピロリドン、ジエチレングリコールモノブチルエーテル、トリエチレングリコールモノブチルエーテルなどがある。より好ましくは、ジエチレングリコール、ブロピレングリコール、２−ピロリドン、ジエチレングリコールモノブチルエーテル、トリエチレングリコールモノブチルエーテルであり、更に好ましくはジエチレングリコール、２−ピロリドン、トリエチレングリコールモノブチルエーテルである。グリセリンは水酸基を３個以上有する保湿剤に該当するので、前記の添加量の制限が適用される。
また、粘度調整剤を使用してもよい。粘度調整剤としては、例えば、セルロース類、ポリビニルアルコールなどの水溶性ポリマーやノニオン系界面活性剤等が挙げられる。更に詳しくは、「粘度調製技術」（技術情報協会、１９９９年）第９章、及び「インクジェットプリンタ用ケミカルズ（９８増補）−材料の開発動向・展望調査−」（シーエムシー、１９９７年）１６２ 〜１７４ 頁に記載されている。これらは５質量％未満での使用が好ましい。ただし、本発明では粘度調整剤として用いる化合物が保湿剤にも該当する場合は、保湿剤であるとして添加量を換算するため、前記の添加量の制限が適用される。
【０１５５】
本発明のインクは、イエローインクとして用いることが好ましい。イエロー単色の画像形成のみならず、フルカラーの画像形成に用いることができる。フルカラー画像を形成するために、イエローインクの他に、マゼンタインク、シアンインクを用いることができ、また、色調を整えるために、更にブラックインクを用いてもよい。本発明のインクは、ブラックインク等の色調を整えるためにも用いても良い。
【０１５６】
本発明の記録方法の奏する効果を有する範囲において、使用できるマゼンタインクとしては、例えばカプラー成分としてフェノール類、ナフトール類、アニリン類などを有するアリールもしくはヘテリルアゾ染料；例えばカプラー成分としてピラゾロン類、ピラゾロトリアゾール類などを有するアゾメチン染料；例えばアリーリデン染料、スチリル染料、メロシアニン染料、シアニン染料、オキソノール染料などのようなメチン染料；ジフェニルメタン染料、トリフェニルメタン染料、キサンテン染料などのようなカルボニウム染料、例えばナフトキノン、アントラキノン、アントラピリドンなどのようなキノン染料、例えばジオキサジン染料等のような縮合多環染料等を挙げることができる。
【０１５７】
本発明の記録方法の奏する効果を有する範囲において、使用できるシアンインクとしては、例えばカプラー成分としてフェノール類、ナフトール類、アニリン類などを有するアリールもしくはヘテリルアゾ染料；例えばカプラー成分としてフェノール類、ナフトール類、ピロロトリアゾールのような複素環類などを有するアゾメチン染料；シアニン染料、オキソノール染料、メロシアニン染料などのようなポリメチン染料；ジフェニルメタン染料、トリフェニルメタン染料、キサンテン染料などのようなカルボニウム染料；フタロシアニン染料；アントラキノン染料；インジゴ・チオインジゴ染料などを挙げることができる。
【０１５８】
適用できる黒色材料としては、ジスアゾ、トリスアゾ、テトラアゾ染料のほか、カーボンブラックの分散体を挙げることができる。
【０１５９】
本発明のインクセットは、インクジェット記録方法に用いるインクセットであって、本発明のインク組成物を構成成分として含んでなる。前記本発明のイエローインク組成物と、マゼンタインク組成物、シアンインク組成物、ブラックインク組成物等の、黄色系以外の他色インク組成物とを一体的に、もしくは独立に収容したインクカートリッジからなり、本発明のインクセットは、前記本発明のイエローインク組成物を収容する以外は従来公知の方法を適宜用いてインクカートリッジとすることができる。
【０１６０】
〔インク記録方法〕
次に、上述のインク組成物を用いた本発明の記録方法について説明する。
本発明のインクは記録媒体に記録される。本発明の好ましいインクジェット記録方法は、前記インクジェット記録用インクにエネルギーを供与して、記録媒体としての公知の受像材料、即ち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載されているインクジェット専用紙、フィルム、電子写真共用紙、布帛、ガラス、金属、陶磁器等に画像を形成する。なお、本発明のインクジェット記録方法として特開２００３−３０６６２３号公報段落番号００９３〜０１０５の記載が適用できる。
【０１６１】
画像を形成する際に、光沢性や耐水性を与えたり耐候性を改善する目的からポリマーラテックス化合物を併用してもよい。ラテックス化合物を受像材料に付与する時期については、着色剤を付与する前であっても、後であっても、また同時であってもよく、したがって添加する場所も受像紙中であっても、インク中であってもよく、あるいはポリマーラテックス単独の液状物として使用しても良い。
具体的には、特開２００２−１６６６３８号公報、特開２００２−１２１４４０号公報、特開２００２−１５４２０１号公報、特開２００２−１４４６９６号公報、特開２００２−０８０７５９号公報、特開２００２−１８７３４２号公報、特開２００２−１７２７７４号公報に記載された方法を好ましく用いることができる。
【０１６２】
以下に、本発明のインクを用いてインクジェットプリントをするのに用いられる記録媒体（記録紙及び記録フィルム）について説明する。記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて従来公知の顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚みは１０〜２５０μｍ、坪量は１０〜２５０ｇ／ｍ２が望ましい。
【０１６３】
また支持体には、そのままインク受容層及びバックコート層を設けてもよいし、デンプン、ポリビニルアルコール等でサイズプレスやアンカーコート層を設けた後、インク受容層及びバックコー卜層を設けてもよい。更に支持体には、マシンカレンダー、ＴＧカレンダー、ソフトカレンダー等のカレンダー装置により平坦化処理を行ってもよい。本発明では支持体としては、両面をポリオレフィン（例えば、ポリエチレン、ポリスチレン、ポリエチレンテレフタレート、ポリブテン及びそれらのコポリマー）でラミネートした紙及びプラスチックフィルムがより好ましく用いられる。ポリオレフィン中に、白色顔料（例えば、酸化チタン、酸化亜鉛）又は色味付け染料（例えば、コバルトブルー、群青、酸化ネオジウム）を添加することが好ましい。
【０１６４】
支持体上に設けられるインク受容層には、顔料や水性バインダーが含有される。顔料としては、白色顔料が好ましく、白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の白色無機顔料、スチレン系ピグメント、アクリル系ピグメント、尿素樹脂、メラミン樹脂等の有機顔料等が挙げられる。インク受容層に含有される白色顔料としては、多孔性無機顔料が好ましく、特に細孔面積が大きい合成非晶質シリカ等が好適である。合成非晶質シリカは、乾式製造法によって得られる無水珪酸及び湿式製造法によって得られる含水珪酸のいずれも使用可能であるが、特に含水珪酸を使用することが望ましい。
【０１６５】
本発明のインクジェット記録方法はインクジェットの記録方式に制限はなく、公知の方式、例えば静電誘引力を利用してインクを吐出させる電荷制御方式、電歪素子の機械的変形によりインク滴を形成するインクジェットヘッドを用いる、ピエゾ素子の振動圧力を利用するドロップオンデマンド方式（圧力パルス方式）、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。本発明のインクジェット記録方法はインク組成物の液滴を吐出し、該液滴を記録媒体に付着させて記録を行うことが好ましい。本発明の記録方法は、インクジェット記録方式が特に好適に使用できるが、一般の筆記具用、記録計、ペンプロッター等の用途にも使用できることは言うまでもない。また、本発明の記録物はインクジェット記録方法によって印刷されたものである。
【実施例】
【０１６６】
以下、本発明を実施例によって説明するが、本発明はこれに限定されるものではない。
下記の成分に超純水（抵抗値１８ＭΩ以上）を加え１リッターとした後、３０〜４０℃で加熱しながら１時間撹拌した。その後、平均孔径０.２５μｍのミクロフィルターで減圧濾過してインク液１を得た。このインク液に超純水を加えてインク１の質量を１０００ｇとした。このインク１の水酸基を３個以上有する保湿剤／前記一般式（１）で表される化合物のモル比は９．４２であり、全保湿剤に対する水酸基を３個以上有する保湿剤含有率は１４．７質量％である。
【０１６７】
〔インク１処方〕
化合物１ ６５ｇ／ｌ
化合物（２−１）  ５０ｇ／ｌ
尿素 １０ｇ／ｌ
トリエチレングリコール ９０ｇ／ｌ
グリセリン １．２ｇ／ｌ
トリエチレングリコールモノブチルエーテル ９０ｇ／ｌ
２−ピロリドン ５０ｇ／ｌ
トリエタノールアミン ７ｇ／l
サーフィノール４６５（日信化学工業株式会社製） １０ｇ／ｌ
プロキセルＸＬ２（富士フイルムイメージングカラランツ社製） ５ｇ／ｌ
【０１６８】
〔インク２〜６１の作成〕
表１〜３に示す化合物および添加剤とそれらの量を変更した以外は、インク１の処方に従いインク２〜６１を作成した。
【０１６９】
【表１】
2010024444.tif 000018
【０１７０】
【表２】
2010024444.tif 000019
【０１７１】
【表３】
2010024444.tif 000020
【０１７２】
表中、（モル比）は水酸基を３個以上有する保湿剤／一般式（１）で表される化合物のモル比を表す。
【０１７３】
以下に、色材の混合に用いた化合物（２−１）〜化合物（６）の構造を記載する。
【０１７４】
【化１７】
2010024444.tif 000021
【０１７５】
［比較インク６２の作成］
下記の成分に超純水（抵抗値１８ＭΩ以上）を加え１リッターとした後、３０〜４０℃で加熱しながら１時間撹拌した。その後、平均孔計０.２５μｍのミクロフィルターで減圧濾過してインク液を得た。このインク液に超純水を加えてインクの質量を１０００ｇとし、インク６２を調製した。
化合物（２−１）  ４５ｇ／ｌ
エチレン尿素 ２０ｇ／ｌ
トリエチレングリコール ９０ｇ／ｌ
グリセリン ９０ｇ／ｌ
トリエチレングリコールモノブチルエーテル ９０ｇ／ｌ
２−ピロリドン ２０ｇ／ｌジエタノールアミン ７ｇ／l
サーフィノール４６５（日信化学工業株式会社製） １０ｇ／ｌ
プロキセルＸＬ２（富士フイルムイメージングカラランツ社製） ５ｇ／ｌ
【０１７６】
［比較インク６３〜６７の作成］
上記の比較インク６２の組成中、
化合物（２−１）を化合物（２−２）へ変更した以外は同様にして比較インク６３を、
化合物（２−１）を化合物（３）へ変更した以外は同様にして比較インク６４を、
化合物（２−１）を化合物（４）へ変更した以外は同様にして比較インク６５を、
化合物（２−１）を化合物（５）へ変更した以外は同様にして比較インク６６を、
化合物（２−１）を化合物（６）へ変更した以外は同様にして比較インク６７を作成した。
【０１７７】
（強制加熱実験）
表１〜表３の処方で作成したインク１０ｍＬを、サンプル瓶に入れ、６０℃で７日間保存した。化合物の残存率は高速液体クロマトグラフィー（ＨＰＬＣ：島津製作所製 ＬＣ−２０ＡＴ）で測定を実施した。残存率がＨＰＬＣの面積％で、８０％未満をＦ、８０以上８４未満％をＥ、８４以上８８未満％をＤ、８８以上９２未満％をＣ、９２以上９６未満％をＢ、９６以上１００以下％をＡとして評価を行い、表４〜表６中には熱安定性として表示した。
【０１７８】
（印字画像評価実験）
表１〜表３の処方で作成したインクをＥＰＳＯＮ社製インクジェットプリンターＰＭ−Ｇ８００のカートリッジに装填し、受像シートには、紙ａとしてＥＰＳＯＮ 写真用紙＜光沢＞と、紙ｂとして写真用紙クリスピア＜高光沢＞、紙ｃとしてＣａｎｏｎ社製ＰＲ１０１を、紙ｄとしてＨｅｗｌｅｔｔ−Ｐａｃｋａｒｄ社製アドバンストフォトペーパーを、紙ｅとして富士フイルム株式会社製画彩を使用し、階段状に濃度が変化したイエロー単色画像パターンをＰＭ−Ｇ８００にて印字させ、画像堅牢性の評価を行った。
【０１７９】
画像保存性について色濃度を測定することで以下の評価を行った。受像シートは紙ａ〜ｅを使用した。
［１］光堅牢性は印字直後の画像濃度ＣｉをＸ−ｒｉｔｅ ３１０にて測定した後、アトラス社製ウェザーメーターを用い画像にキセノン光（１０万ルックス）を７日照射した後、再び画像濃度Ｃｆを測定し色素の残存率（Ｃｆ／Ｃｉ）×１００を求め評価を行った。色素の残存率について反射濃度が０．７，１．２，２．０の３点にて評価し、いずれの濃度でも色素の残存率が８５％以上の場合をＡ、１点が８５％未満の場合をＢ、２点が８５％未満の場合をＣ、３点全ての濃度で８５％未満の場合をＤとした。
［２］耐オゾン性については、オゾンガス濃度が５ｐｐｍに設定されたボックス内に７日間放置し、オゾンガス下放置前後の画像濃度を反射濃度計（Ｘ−Ｒｉｔｅ３１０ＴＲ）を用いて測定し、色素残存率として評価した。尚、前記反射濃度は、０．７、１．２及び２．０の３点で測定した。ボックス内のオゾンガス濃度は、ＡＰＰＬＩＣＳ製オゾンガスモニター（モデル：ＯＺＧ−ＥＭ−０１）を用いて設定した。何れの濃度でも色素残存率が８５％以上の場合をＡ、１点が８５％未満をＢ、２点が８５％未満の場合をＣ、全ての濃度で８５％未満の場合をＤとして、四段階で評価した。
【０１８０】
（吐出安定性）
吐出安定性については、熱安定性試験後のインク組成物を使用した。カートリッジをプリンターにセットし全ノズルからのインクの突出を確認した後、Ａ４  ２０枚出力し、以下の基準で評価した。Ａ：印刷開始から終了まで印字の乱れがない。Ｂ：印字の乱れがある出力が発生する。Ｃ：印刷開始から終了まで印字の乱れあり。
【０１８１】
（色度）
階段状に濃度が変化したイエローの単色画像パターンをＧｒｅｔａｇＭａｃｂｅｔｈ製ＳｐｅｃｔｒｏＥｙｅにてＣＩＥ Ｌ＊ａ＊ｂ＊を測定した。反射濃度１．０におけるａ＊が、−６．５よりも小さい場合は○とし、−６．５以上であれば×、ｂ＊が７０よりも大きければ○、７０以下であれば×とし、両者が○であるときをＡ、一方が○であるときをＢ、両方が×のときをＣとした。受像シートは紙ａ〜ｅを使用した。  
【０１８２】
【表４】
2010024444.tif 000022
【０１８３】
【表５】
2010024444.tif 000023
【０１８４】
【表６】
2010024444.tif 000024
【０１８５】
表中、モル比は水酸基を３個以上有する保湿剤／一般式（１）で表される化合物のモル比を表す。
また、表４、表５および表６中で「質量％（＊１）」とは水酸基を３個以上有する保湿剤のインク全量に対する質量％を表し、「質量％（＊２）」とは水酸基を３個以上有する保湿剤の全保湿剤に対する質量％を表す。
表６中、インク５３、５４、５５はイエローの色相のくすみがあり（ブロード化し）、好ましくない。
表４〜表６の結果から、本発明のインク組成物は長期保存安定性が良好であり、かつ、そのインク組成物を用いた印字画像は色度、光堅牢性、オゾンガス堅牢性について優れていることが分かった。